(57)【要約】【課題】感光材料のロット、現像液の状態、出力環境温度等の出力条件の違いに応じて、ベタ色の濃度調整を行うことで、十分な色近似性を得たカラープルーフを作成して、最終印刷物のベタ濃度に相違が生じることを防止することが可能なカラープルーフ作成システム、及び、カラープルーフ作成方法を提供する。【解決手段】最終印刷物に対応して、出力装置から出力されたカラーチャートの各色（Ｃ、Ｍ、Ｙ）のベタ濃度を濃度計により測定して、第１の設定手段によりその濃度値（Ｄｃ、Ｄｍ、Ｄｙ）を入力する。光量値演算処理手段１３ａは、予め設定された測定テーブル１７ａを参照して、その濃度値（Ｄｃ、Ｄｍ、Ｄｙ）に最も近似した測定値（Ｒ、Ｇ、Ｂ）の組み合わせを抽出して、対応する光量値を算出する。制御部１９は、その光量値に基づいて、カラーチャンネル色補正ＬＵＴ（カラーチャンネル表）１７ｂを作成する。【選択図】      図３
2004205844.tif 000002
【特許請求の範囲】
【請求項１】
複数色からなる画像データを色分解することで、各色の網点画像データを作成する画像処理装置と、
前記画像処理装置から送信された前記各色の網点画像データに基づく網点画像を、複数の光源から異なる波長の光を発して所定の光量値にて感光材料を露光することで、カラープルーフとして出力する出力装置と、を含むカラープルーフ作成システムであって、
前記画像処理装置は、
前記各色の網点画像を構成する網点の内、少なくともその網点の割合が１００パーセントである場合の前記各色の各色成分の濃度値と、前記各色の各色成分の濃度値に対応する前記複数の光源の各々から発するべき光の光量値とを関連つけた濃度／光量テーブルを記憶する濃度／光量テーブル記憶手段と、
前記濃度／光量テーブルを参照することで、前記各色の網点画像の内、少なくともその網点の割合が１００パーセントである部分を前記出力装置において出力する際に前記複数の光源の各々から発するべき光の光量値を決定して、前記所定の光量値として出力する濃度／光量値算出手段と、
前記出力装置により出力されたカラーチャートの各色の網点画像を構成する網点の内、少なくともその網点の割合が１００パーセントである部分の濃度を測定することで得られた各色成分の濃度値を入力する濃度値入力手段と、
前記濃度値入力手段により入力された各色成分の濃度値に基づいて、前記濃度／光量テーブルを構成する前記各色の各色成分の濃度値と、前記各色の各色成分の濃度値に対応する前記複数の光源の各々から発するべき光の光量値と、を更新する濃度／光量テーブル更新手段と、を備えたことを特徴とするカラープルーフ作成システム。
【請求項２】
前記濃度／光量テーブル更新手段は、前記濃度値入力手段により入力された各色成分の濃度値に基づいて、前記濃度／光量テーブルを構成する前記各色の各色成分の濃度値と、前記各色の各色成分の濃度値に対応する前記複数の光源の各々から発するべき光の光量値の補間演算を行うことで、前記濃度値入力手段により入力された各色成分の濃度値に対応する前記複数の光源の各々から発するべき光の光量値を算出することを特徴とする請求項１に記載のカラープルーフ作成システム。
【請求項３】
前記濃度／光量テーブル記憶手段は、さらに、前記各色の網点画像データを構成する網点の割合が１００パーセントでない部分の前記各色の各色成分の濃度値と、前記各色の各色成分の濃度値に対応する前記複数の光源の各々から発するべき光の光量値とを関連付けた濃度／光量テーブルを記憶し、
前記濃度／光量値算出手段は、さらに、前記濃度／光量テーブルを参照することで、前記各色の網点画像の内、その網点の割合が１００パーセントでない部分を前記出力装置において出力する際に前記複数の光源の各々から発するべき光の光量値を決定して、前記所定の光量値として出力して、
前記濃度値入力手段は、さらに、前記カラーチャートを構成する前記各色の網点画像を構成する網点の割合が１００パーセントでない部分の濃度を測定することで得られた各色成分の濃度値を入力する手段であって、
前記濃度／光量テーブル更新手段は、前記濃度値入力手段により入力された各色成分の濃度値に基づいて、前記濃度／光量テーブルを構成する前記各色の各色成分の濃度値と、前記各色の各色成分の濃度値に対応する前記複数の光源の各々から発するべき光の光量値を更新することを特徴とする請求項１又は請求項２に記載のカラープルーフ作成システム。
【請求項４】
複数色からなる画像データを色分解することで、各色の網点画像データを作成する画像処理装置と、
前記画像処理装置から送信された前記各色の網点画像データに基づく網点画像を、複数の光源から異なる波長の光を発して所定の光量値にて感光材料を露光することで、カラープルーフとして出力する出力装置と、を含むカラープルーフ作成システムであって、
前記画像処理装置は、
前記各色の網点画像を構成する網点の内、少なくともその網点の割合が１００パーセントである場合の前記各色の識別情報及び各色成分の濃度値と、前記各色の各色成分の濃度値に対応する前記複数の光源の各々から発するべき光の光量値とを関連つけた色／光量テーブルを記憶する色／光量テーブル記憶手段と、
前記色／光量テーブルを参照することで、前記各色の網点画像の内、少なくともその網点の割合が１００パーセントである部分を前記出力装置において出力する際に前記複数の光源の各々から発するべき光の光量値を決定して、前記所定の光量値として出力する色／光量値算出手段と、
前記出力装置により出力されたカラーチャートの各色の網点画像を構成する網点の内、少なくともその網点の割合が１００パーセントである部分の濃度を測定することで得られた各色成分の濃度値を入力する濃度値入力手段と、
前記濃度値入力手段により入力された各色成分の濃度値に基づいて、前記色／光量テーブルを構成する前記各色の各色成分の濃度値と、前記各色の各色成分の濃度値に対応する前記複数の光源の各々から発するべき光の光量値と、を更新する色／光量テーブル更新手段と、を備えたことを特徴とするカラープルーフ作成システム。
【請求項５】
前記色／光量テーブル更新手段は、前記濃度値入力手段により入力された各色成分の濃度値に基づいて、前記色／光量テーブルを構成する前記各色の各色成分の濃度値と、前記各色の各色成分の濃度値に対応する前記複数の光源の各々から発するべき光の光量値の補間演算を行うことで、前記濃度値入力手段により入力された各色成分の濃度値に対応する前記複数の光源の各々から発するべき光の光量値を算出することを特徴とする請求項４に記載のカラープルーフ作成システム。
【請求項６】
前記色／光量テーブル記憶手段は、さらに、前記各色の網点画像データを構成する網点の割合が１００パーセントでない部分の前記各色の各色成分の濃度値と、前記各色の各色成分の濃度値に対応する前記複数の光源の各々から発するべき光の光量値とを関連付けた色／光量テーブルを記憶し、
前記色／光量値算出手段は、さらに、前記色／光量テーブルを参照することで、前記各色の網点画像の内、その網点の割合が１００パーセントでない部分を前記出力装置において出力する際に前記複数の光源の各々から発するべき光の光量値を決定して、前記所定の光量値として出力して、
前記濃度値入力手段は、さらに、前記カラーチャートを構成する前記各色の網点画像を構成する網点の割合が１００パーセントでない部分の濃度を測定することで得られた各色成分の濃度値を入力する手段であって、
前記色／光量テーブル更新手段は、前記濃度値入力手段により入力された各色成分の濃度値に基づいて、前記色／光量テーブルを構成する前記各色の各色成分の濃度値と、前記各色の各色成分の濃度値に対応する前記複数の光源の各々から発するべき光の光量値を更新することを特徴とする請求項４又は請求項５に記載のカラープルーフ作成システム。
【請求項７】
画像処理装置において、複数色からなる画像データを色分解することで、各色の網点画像データを作成すると共に、前記各色の網点画像を構成する網点の割合に応じた各色成分の濃度値と、前記各色成分の濃度値に対応する出力装置の複数の光源の各々から発するべき光の光量値とを関連つけた濃度／光量テーブルを参照して、前記各色の網点画像を前記出力装置において出力する際に前記複数の光源の各々から発するべき光の光量値を決定すると共に、
前記出力装置において、前記各色の網点画像データに基づく網点画像を、前記複数の光源の各々から発するべき光の光量値に従って、前記複数の光源の各々から異なる波長の光を発して感光材料を露光することで、カラープルーフとして出力するカラープルーフ作成方法であって、
前記画像処理装置において、前記出力装置により出力されたカラーチャートの各色の網点画像の内、少なくともその網点の割合が１００パーセントである部分の濃度を測定することで得られた各色成分の濃度値を入力するステップと、
前記画像処理装置において、前記入力された各色成分の濃度値に基づいて、前記画像処理装置に保持される前記濃度／光量テーブルを構成する、前記各色の網点画像を構成する網点の内、少なくともその網点の割合が１００パーセントである場合の、前記各色の各色成分の濃度値と、前記各色の各色成分の濃度値に対応する前記複数の光源の各々から発するべき光の光量値とを更新するステップと、を含むことを特徴とするカラープルーフ作成方法。
【請求項８】
前記濃度／光量テーブルを更新するステップは、前記画像処理装置に入力された各色の各色成分の濃度値に基づいて、前記濃度／光量テーブルを構成する前記各色の各色成分の濃度値と、前記各色の各色成分の濃度値に対応する前記複数の光源の各々から発するべき光の光量値の補間演算を行うことで、前記濃度値入力手段により入力された各色成分の濃度値に対応する前記複数の光源の各々から発するべき光の光量値を算出するステップであることを特徴とする請求項７に記載のカラープルーフ作成方法。
【請求項９】
画像処理装置において、複数色からなる画像データを色分解することで、各色の網点画像データを作成すると共に、前記各色の網点画像を構成する網点の割合に応じた前記各色の識別情報及び各色成分の濃度値と、前記各色成分の濃度値に対応する出力装置の複数の光源の各々から発するべき光の光量値とを関連つけた色／光量テーブルを参照して、前記各色の網点画像を前記出力装置において出力する際に前記複数の光源の各々から発するべき光の光量値を決定すると共に、
前記出力装置において、前記各色の網点画像データに基づく網点画像を、前記複数の光源の各々から発するべき光の光量値に従って、前記複数の光源の各々から異なる波長の光を発して感光材料を露光することで、カラープルーフとして出力するカラープルーフ作成方法であって、
前記画像処理装置において、前記出力装置により出力されたカラーチャートの各色の網点画像の内、少なくともその網点の割合が１００パーセントである部分の濃度を測定することで得られた各色成分の濃度値を入力するステップと、
前記画像処理装置において、前記入力された各色成分の濃度値に基づいて、前記色／光量テーブルを構成する、前記各色の網点画像を構成する網点の内、少なくともその網点の割合が１００パーセントである場合の、前記各色の各色成分の濃度値と、前記各色の各色成分の濃度値に対応する前記複数の光源の各々から発するべき光の光量値とを更新するステップと、を含むことを特徴とするカラープルーフ作成方法。
【請求項１０】
前記色／光量テーブルを更新するステップは、前記画像処理装置に入力された各色の各色成分の濃度値に基づいて、前記色／光量テーブルを構成する前記各色の各色成分の濃度値と、前記各色の各色成分の濃度値に対応する前記複数の光源の各々から発するべき光の光量値の補間演算を行うことで、前記濃度値入力手段により入力された各色成分の濃度値に対応する前記複数の光源の各々から発するべき光の光量値を算出するステップであることを特徴とする請求項９に記載のカラープルーフ作成方法。
【発明の詳細な説明】
【０００１】
【発明の属する技術分野】
本発明は、ＲＩＰ（ラスタ・イメージ・プロセッサ）、又は、画像処理装置において処理された網点画像データに基づき、波長の異なる複数の光源によって感光材料を露光することで、カラープルーフを作成するカラープルーフ作成システム、及び、カラープルーフ作成方法に関するものである。
【０００２】
【従来の技術】
従来から、カラー印刷物を作成する際には、原稿フィルムの段階で色校正を行うことが行われている。このような場合、例えば、Ｙ（イエロー）版、Ｍ（マゼンタ）版、Ｃ（シアン）版及びＢＫ（ブラック）版に色分解された各色分解網原稿フィルムを使って校正物（カラープルーフ）を作成して、本番の印刷版を作成する前に、原稿フィルムのレイアウトに間違いがないか、色間違いがないか、文字の誤りがないか等を検査し、印刷物の仕上がりを事前に確認するようにしている。
【０００３】
ところで、このようなカラープルーフの作成は、ＤＤＣＰ（Ｄｉｒｅｃｔ  Ｄｉｇｉｔａｌ  Ｃｏｌｏｒ  Ｐｒｏｏｆ）方式によって行われることが多く、その１つの手法として、例えば、各色分解網原稿の網点画像データに基づいて、感光材料に、Ｒ、Ｇ、Ｂ等の波長の異なる複数の光の組み合わせからなる光点を露光することで、Ｙ、Ｍ、Ｃ、ＢＫの各ドットを発色させることが行われている。
【０００４】
また、一方で、ＤＴＰ（Ｄｅｓｋ  Ｔｏｐ  Ｐｕｂｌｉｓｈｉｎｇ）等の普及により、スキャナから入力した画像をコンピュータのソフトウェア上で画像編集、ページ面付けする作業が一般化してきており、フルディジタルでの編集も珍しくなくなってきている。
【０００５】
このような工程では、さらなる効率化を目指して、フィルムにページ編集済みの画像データを直接出力するイメージセッター出力や、印刷版に直接画像記録を行うＣＴＰ（Ｃｏｍｐｕｔｅｒ  Ｔｏ  Ｐｌａｔｅ）出力、さらには、印刷機のシリンダー上に巻かれた印刷版に直接画像記録を行うＣＴＣ（Ｃｏｍｐｕｔｅｒ
Ｔｏ  Ｃｙｌｉｎｄｅｒ）が行われている。
【０００６】
しかしながら、このような場合には、校正確認の為だけに一端フィルム出力や印刷版出力を行い、印刷校正や、その他の校正材料による校正を行うことは、フィルム、印刷版の無駄や余計な作業が多くなる問題が生じる。
【０００７】
そのため、特に、このようなコンピュータによるフルディジタルの画像作成、編集を行う工程では、ＤＤＣＰ乃至はＤＣＰ（Ｄｉｇｉｔａｌ  Ｃｏｌｏｒ  Ｐｒｏｏｆ）と称される直接カラー画像出力を行うシステムが求められるようになっている。
【０００８】
このようなＤＤＣＰは、コンピュータ上で加工されたディジタル画像データからイメージセッターなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、コンピュータ上で加工されたディジタル画像が示す出力対象を再現するカラープルーフを作成し、その絵柄、色調、文章文字等の確認を行うものである。
【０００９】
このような印刷工程における校正のプロセスでは、
１）作業現場内部のミスの確認、即ち、内校、
２）発注主、デザイナーへの仕上がり確認用に提出される外校、
３）印刷機の機長に対して、最終印刷物の見本として提供される印刷見本、
の、主として３つの用途のためにカラープルーフが作成され、使用されている。
【００１０】
因みに、内部の確認用及び一部の外校用途においては、納期短縮、コスト削減等のニーズから、網点画像再現ができない校正材料、即ち、昇華転写方式による校正や、インクジェット、電子写真などの出力物を主として体裁確認用の校正として使用する場合もある。
【００１１】
しかしながら、依然として、多くの場合には、ハイライト部の再現性や、細かいディテールの確認、印刷時のモアレと呼ばれる網画像の不適切な干渉縞の確認等のために、印刷網点を忠実に再現するカラープルーフが作成されることが強く望まれている現状にある。
【００１２】
そこで、近年においては、例えばハイパワーヒートモードレーザーを用いて、昇華転写記録材料や感熱記録材料に画像露光を行い、印刷本紙に転写することで印刷網点を忠実に再現するカラープルーフを作成するＤＤＣＰなどが普及し始めている状況にある。
【００１３】
しかしながら、これらのシステムは、概して、レーザーヘッドのコストが高く、機器も高価で、多数の色画像形成シートを利用するために材料も高価で、また、画像を露光した後、転写するというプロセスが色数分だけ必要で長時間を要するなどの問題があり、多様な業務に適用して、従来の印刷校正のように多数枚の複製を作成するといったことは、コストや時間の点から難しい現状にある。
【００１４】
また一方で、近年においては、複数のＬＤ（レーザダイオード）やＬＥＤランプを用いて、Ｒ、Ｇ、Ｂ等の波長の異なる光を発する露光ヘッドを構成し、さらに、複数の吸着孔が設けられた外周面を有するドラムと、このドラムを回転駆動させる駆動機構とを備えて、ドラムの外周面上に感光材料を保持して、これを駆動機構により回転させつつ、各色の露光ヘッドから各々光を発して、露光して、感光材料上にＹ、Ｍ、Ｃ、ＢＫの各色ドットを発色させることで網点画像を記録する画像記録装置が提案されるに至っている。
【００１５】
このような画像記録装置においては、ＬＥＤランプが低コストであることから露光ヘッドのコストは低く抑えられ、また、感光材料は、銀塩カラー感光材料を用いることから低コストであり、さらには、転写というプロセスがないことから長時間を要することもなく、多様な業務に適用して、従来の印刷校正のように多数枚の複製を作成するといったことも可能となっている。
【００１６】
ところで、このような画像記録装置においては、中間調の色調整を行う場合、各色の露光ヘッドから発せられる光の光量値を調整することが行われている。具体的には、当該画像記録装置においては、予め、各階調に対応する感光材料の発色濃度と、各色の露光ヘッドから発せられる光の光量値とを関連付けたテーブルが保持されており、このテーブルに従って、各色の露光ヘッドから発せられる光の光量値が制御されているため、当該画像記録装置から中間調の各階調に対応したチャートを含んだテストチャートを出力して、その濃度を測定した後、その測定値に基づいて、このテーブルの補正を行うことで、各色の露光ヘッドから発せられる光の光量値を調整することとなっている（例えば、特許文献１参照）。
【００１７】
因みに、このような画像記録装置においては、各色の露光ヘッドから発せられる光の光量値が、露光ヘッドの特性により経時的に変化してしまうことから、また、露光後の感光材料を現像する現像液の状態が、現像処理が行われる過程で変化してしまうことから、さらには、感光材料の感光特性が、そのロットが切換わる度に、或いは、環境温度により変化してしまうことなどから、感光材料上に発色される網点画像の濃度が安定しない状況にあり、これら出力条件の違いに起因する網点画像の濃度の変動を校正するべく、このような中間調の色調整は、感光材料のロットが切換わる度に、若しくは、所定の期間が経過する毎に行われることとなっている。
【００１８】
【特許文献１】
特開２０００−３３７３２号公報
（段落〔００３０〕‐〔００６１〕、第１図乃至第１２図）
【００１９】
【発明が解決しようとする課題】
また一方で、このような画像記録装置においては、ベタ色を露光する場合、各色の露光ヘッドから発せられる光の光量値は、何れも最大値に設定されており、しかも、その設定値は固定とされ、ベタ色の濃度を調整することは不可能となっている。
【００２０】
しかしながら、前述したように、感光材料上に発色される網点画像の濃度は、出力条件の違いに起因して変動しており、ベタ色に関しても、その濃度は安定しない状況にあるため、実際においては、このようなベタ色の濃度の変動を補正するべく、中間調の色調整を行うことが試みられている。
【００２１】
しかしながら、このような中間調の色調整によっては、十分な色近似性を得ることができない現状にある。
【００２２】
本発明は、上記事情に鑑みてなされたものであり、その目的とするところは、感光材料のロット、現像液の状態、出力環境温度等の出力条件の違いに応じて、ベタ色の濃度調整を行うことで、十分な色近似性を得たカラープルーフを作成して、最終印刷物のベタ濃度に相違が生じることを防止することが可能なカラープルーフ作成システム、及び、カラープルーフ作成方法を提供することにある。
【００２３】
【課題を解決するための手段】
上記課題を解決するために、請求項１記載の発明は、複数色からなる画像データを色分解することで、各色の網点画像データを作成する画像処理装置と、前記画像処理装置から送信された前記各色の網点画像データに基づく網点画像を、複数の光源から異なる波長の光を発して所定の光量値にて感光材料を露光することで、カラープルーフとして出力する出力装置と、を含むカラープルーフ作成システムであって、前記画像処理装置は、前記各色の網点画像を構成する網点の内、少なくともその網点の割合が１００パーセントである場合の前記各色の各色成分の濃度値と、前記各色の各色成分の濃度値に対応する前記複数の光源の各々から発するべき光の光量値とを関連つけた濃度／光量テーブルを記憶する濃度／光量テーブル記憶手段と、前記濃度／光量テーブルを参照することで、前記各色の網点画像の内、少なくともその網点の割合が１００パーセントである部分を前記出力装置において出力する際に前記複数の光源の各々から発するべき光の光量値を決定して、前記所定の光量値として出力する濃度／光量値算出手段と、前記出力装置により出力されたカラーチャートの各色の網点画像を構成する網点の内、少なくともその網点の割合が１００パーセントである部分の濃度を測定することで得られた各色成分の濃度値を入力する濃度値入力手段と、前記濃度値入力手段により入力された各色成分の濃度値に基づいて、前記濃度／光量テーブルを構成する前記各色の各色成分の濃度値と、前記各色の各色成分の濃度値に対応する前記複数の光源の各々から発するべき光の光量値と、を更新する濃度／光量テーブル更新手段と、を備えたことを特徴とする。
【００２４】
また、請求項２記載の発明は、請求項１に記載のカラープルーフ作成システムであって、前記濃度／光量テーブル更新手段は、前記濃度値入力手段により入力された各色成分の濃度値に基づいて、前記濃度／光量テーブルを構成する前記各色の各色成分の濃度値と、前記各色の各色成分の濃度値に対応する前記複数の光源の各々から発するべき光の光量値の補間演算を行うことで、前記濃度値入力手段により入力された各色成分の濃度値に対応する前記複数の光源の各々から発するべき光の光量値を算出することを特徴とする。
【００２５】
また、請求項３記載の発明は、請求項１又は請求項２に記載のカラープルーフ作成システムであって、前記濃度／光量テーブル記憶手段は、さらに、前記各色の網点画像データを構成する網点の割合が１００パーセントでない部分の前記各色の各色成分の濃度値と、前記各色の各色成分の濃度値に対応する前記複数の光源の各々から発するべき光の光量値とを関連付けた濃度／光量テーブルを記憶し、前記濃度／光量値算出手段は、さらに、前記濃度／光量テーブルを参照することで、前記各色の網点画像の内、その網点の割合が１００パーセントでない部分を前記出力装置において出力する際に前記複数の光源の各々から発するべき光の光量値を決定して、前記所定の光量値として出力して、前記濃度値入力手段は、さらに、前記カラーチャートを構成する前記各色の網点画像を構成する網点の割合が１００パーセントでない部分の濃度を測定することで得られた各色成分の濃度値を入力する手段であって、前記濃度／光量テーブル更新手段は、前記濃度値入力手段により入力された各色成分の濃度値に基づいて、前記濃度／光量テーブルを構成する前記各色の各色成分の濃度値と、前記各色の各色成分の濃度値に対応する前記複数の光源の各々から発するべき光の光量値を更新することを特徴とする。
【００２６】
上記課題を解決するために、請求項４記載の発明は、複数色からなる画像データを色分解することで、各色の網点画像データを作成する画像処理装置と、前記画像処理装置から送信された前記各色の網点画像データに基づく網点画像を、複数の光源から異なる波長の光を発して所定の光量値にて感光材料を露光することで、カラープルーフとして出力する出力装置と、を含むカラープルーフ作成システムであって、前記画像処理装置は、前記各色の網点画像を構成する網点の内、少なくともその網点の割合が１００パーセントである場合の前記各色の識別情報及び各色成分の濃度値と、前記各色の各色成分の濃度値に対応する前記複数の光源の各々から発するべき光の光量値とを関連つけた色／光量テーブルを記憶する色／光量テーブル記憶手段と、前記色／光量テーブルを参照することで、前記各色の網点画像の内、少なくともその網点の割合が１００パーセントである部分を前記出力装置において出力する際に前記複数の光源の各々から発するべき光の光量値を決定して、前記所定の光量値として出力する色／光量値算出手段と、前記出力装置により出力されたカラーチャートの各色の網点画像を構成する網点の内、少なくともその網点の割合が１００パーセントである部分の濃度を測定することで得られた各色成分の濃度値を入力する濃度値入力手段と、前記濃度値入力手段により入力された各色成分の濃度値に基づいて、前記色／光量テーブルを構成する前記各色の各色成分の濃度値と、前記各色の各色成分の濃度値に対応する前記複数の光源の各々から発するべき光の光量値と、を更新する色／光量テーブル更新手段と、を備えたことを特徴とする。
【００２７】
また、請求項５記載の発明は、請求項４に記載のカラープルーフ作成システムであって、前記色／光量テーブル更新手段は、前記濃度値入力手段により入力された各色成分の濃度値に基づいて、前記色／光量テーブルを構成する前記各色の各色成分の濃度値と、前記各色の各色成分の濃度値に対応する前記複数の光源の各々から発するべき光の光量値の補間演算を行うことで、前記濃度値入力手段により入力された各色成分の濃度値に対応する前記複数の光源の各々から発するべき光の光量値を算出することを特徴とする。
【００２８】
また、請求項６記載の発明は、請求項４又は請求項５に記載のカラープルーフ作成システムであって、前記色／光量テーブル記憶手段は、さらに、前記各色の網点画像データを構成する網点の割合が１００パーセントでない部分の前記各色の各色成分の濃度値と、前記各色の各色成分の濃度値に対応する前記複数の光源の各々から発するべき光の光量値とを関連付けた色／光量テーブルを記憶し、前記色／光量値算出手段は、さらに、前記色／光量テーブルを参照することで、前記各色の網点画像の内、その網点の割合が１００パーセントでない部分を前記出力装置において出力する際に前記複数の光源の各々から発するべき光の光量値を決定して、前記所定の光量値として出力して、前記濃度値入力手段は、さらに、前記カラーチャートを構成する前記各色の網点画像を構成する網点の割合が１００パーセントでない部分の濃度を測定することで得られた各色成分の濃度値を入力する手段であって、前記色／光量テーブル更新手段は、前記濃度値入力手段により入力された各色成分の濃度値に基づいて、前記色／光量テーブルを構成する前記各色の各色成分の濃度値と、前記各色の各色成分の濃度値に対応する前記複数の光源の各々から発するべき光の光量値を更新することを特徴とする。
【００２９】
上記課題を解決するために、請求項７記載の発明は、画像処理装置において、複数色からなる画像データを色分解することで、各色の網点画像データを作成すると共に、前記各色の網点画像を構成する網点の割合に応じた各色成分の濃度値と、前記各色成分の濃度値に対応する出力装置の複数の光源の各々から発するべき光の光量値とを関連つけた濃度／光量テーブルを参照して、前記各色の網点画像を前記出力装置において出力する際に前記複数の光源の各々から発するべき光の光量値を決定すると共に、前記出力装置において、前記各色の網点画像データに基づく網点画像を、前記複数の光源の各々から発するべき光の光量値に従って、前記複数の光源の各々から異なる波長の光を発して感光材料を露光することで、カラープルーフとして出力するカラープルーフ作成方法であって、前記画像処理装置において、前記出力装置により出力されたカラーチャートの各色の網点画像の内、少なくともその網点の割合が１００パーセントである部分の濃度を測定することで得られた各色成分の濃度値を入力するステップと、前記画像処理装置において、前記入力された各色成分の濃度値に基づいて、前記画像処理装置に保持される前記濃度／光量テーブルを構成する、前記各色の網点画像を構成する網点の内、少なくともその網点の割合が１００パーセントである場合の、前記各色の各色成分の濃度値と、前記各色の各色成分の濃度値に対応する前記複数の光源の各々から発するべき光の光量値とを更新するステップと、を含むことを特徴とする。
【００３０】
また、請求項８記載の発明は、請求項７に記載のカラープルーフ作成方法であって、前記濃度／光量テーブルを更新するステップは、前記画像処理装置に入力された各色の各色成分の濃度値に基づいて、前記濃度／光量テーブルを構成する前記各色の各色成分の濃度値と、前記各色の各色成分の濃度値に対応する前記複数の光源の各々から発するべき光の光量値の補間演算を行うことで、前記濃度値入力手段により入力された各色成分の濃度値に対応する前記複数の光源の各々から発するべき光の光量値を算出するステップであることを特徴とする。
【００３１】
上記課題を解決するために、請求項９記載の発明は、画像処理装置において、複数色からなる画像データを色分解することで、各色の網点画像データを作成すると共に、前記各色の網点画像を構成する網点の割合に応じた前記各色の識別情報及び各色成分の濃度値と、前記各色成分の濃度値に対応する出力装置の複数の光源の各々から発するべき光の光量値とを関連つけた色／光量テーブルを参照して、前記各色の網点画像を前記出力装置において出力する際に前記複数の光源の各々から発するべき光の光量値を決定すると共に、前記出力装置において、前記各色の網点画像データに基づく網点画像を、前記複数の光源の各々から発するべき光の光量値に従って、前記複数の光源の各々から異なる波長の光を発して感光材料を露光することで、カラープルーフとして出力するカラープルーフ作成方法であって、前記画像処理装置において、前記出力装置により出力されたカラーチャートの各色の網点画像の内、少なくともその網点の割合が１００パーセントである部分の濃度を測定することで得られた各色成分の濃度値を入力するステップと、前記画像処理装置において、前記入力された各色成分の濃度値に基づいて、前記色／光量テーブルを構成する、前記各色の網点画像を構成する網点の内、少なくともその網点の割合が１００パーセントである場合の、前記各色の各色成分の濃度値と、前記各色の各色成分の濃度値に対応する前記複数の光源の各々から発するべき光の光量値とを更新するステップと、を含むことを特徴とする。
【００３２】
また、請求項１０記載の発明は、請求項９に記載のカラープルーフ作成方法であって、前記色／光量テーブルを更新するステップは、前記画像処理装置に入力された各色の各色成分の濃度値に基づいて、前記色／光量テーブルを構成する前記各色の各色成分の濃度値と、前記各色の各色成分の濃度値に対応する前記複数の光源の各々から発するべき光の光量値の補間演算を行うことで、前記濃度値入力手段により入力された各色成分の濃度値に対応する前記複数の光源の各々から発するべき光の光量値を算出するステップであることを特徴とする。
【００３３】
【発明の実施の形態】
以下、本発明に係るカラープルーフ作成システム、及び、カラープルーフ作成方法の好適な実施形態の一例について、図面を参照しながら具体的に説明する。
【００３４】
［カラープルーフ作成システムの概略構成］
まず、本発明に係るカラープルーフ作成システム、より詳細には、デスクトップパブリッシング分野におけるカラープルーフ作成システムの概略構成、及び概略動作について説明する。
【００３５】
（システムの全体構成）
図１に、本実施形態におけるカラープルーフ作成システムの全体構成を示す。図１に示すように、当該カラープルーフ作成システム１は、ＬＡＮ等により構成されるネットワーク３に接続された複数例えば３台の画像データの生成等を行う画像編集の機能を有する上流端末装置２Ａ、２Ｂ、２Ｃと、同じくネットワーク３に接続された複数例えば２台の画像出力制御機能を有する画像処理装置１０（１０Ａ、１０Ｂ）と、各画像処理装置１０（１０Ａ、１０Ｂ）に各々接続された複数、例えば２台の出力装置２０（２０Ａ、２０Ｂ）とを含み構成されている。画像処理装置１０は、サーバー等のコンピュータにて構成されることが好ましく、出力装置２０（２０Ａ、２０Ｂ）は、ＤＣＰ（ディジタルカラープルーフ）作成装置にて構成されている。
【００３６】
尚、本実施形態においては、後述する濃度‐光量相関テーブルは、画像処理装置１０に備えることを前提とするものであるが、この濃度‐光量相関テーブルは、出力装置２０に単独で備えたとしても、或いは、画像処理装置１０及び出力装置２０の各々に備えたとしても良い。その際、例えば、１台の画像処理装置１０に対して複数の異なる機種の出力装置２０が接続されるような場合には、その各々の出力装置２０に対応する濃度‐光量相関テーブルを１台の画像処理装置１０に備えて良いことは勿論である。
【００３７】
上流端末装置２Ａ、２Ｂ、２Ｃは、各々コンピュータ端末装置として動作するものであり、具体的には、ＣＰＵ、ＲＯＭ、及びＲＡＭ等を有するコンピュータ本体と、これに接続されるＣＲＴ等のディスプレイ、マウス、キーボード、デジタイザ、ＦＤＤ装置、及びハードディスク等や、イメージスキャナ等の画像生成のための入力機器を備えている。尚、上流端末装置２Ａ、２Ｂ、２Ｃは、システム構成に応じて種々のハードウエア構成を採ることが可能である。
【００３８】
画像処理装置１０は、図１に示すように、上流端末２にて編集された画像編集ファイルの画像データを、ネットワーク３を通じて、若しくは、ＦＤＤ等の外部入出力装置を通じて、ＲＩＰ（Ｒａｓｔｅｒ  Ｉｍａｇｅ  Ｐｒｏｃｅｓｓｏｒ）等によってラスタデータに展開すると共に、分版して各色版データ（網点画像データ）を生成する処理を行い、各網点画像データを出力装置２０に転送して画像を出力するようになっている。
【００３９】
尚、画像処理装置１０（１０Ａ、１０Ｂ）もコンピュータ本体、表示部、キーボード等の入力機器を備え画像データの受け入れ、出力装置２０（２０Ａ、２０Ｂ）へのジョブの出力、障害時のジョブの処理等を行う動作プログラムを組み込でいる。また、画像処理装置１０には、画像原稿を読み取るカラースキャナ、台紙の情報を読み取る台紙入力機、また必要に応じて、比較的低画質のゲラ印刷を行うゲラプリンタ等を接続しても良い。
【００４０】
出力装置２０は、画像処理装置１０から転送された網点画像データに基づいて感光材料に画像を形成し、これを現像処理することで、カラープルーフを作成する。尚、出力装置２０は、レーザ露光方式等を用いたカラープルーファー等の画像形成装置から構成することができる。
【００４１】
即ち、画像処理装置１０から出力装置２０に、画像データをネットワーク３を通じて転送して、出力装置２０が各色の画像データを順次感光材料に描画し、これを現像することで、カラープルーフを作成することができる。
【００４２】
ここで、画像処理装置１０には、基本色のベタ濃度調整等を制御するための各種テーブルを含むソフトウェアが搭載され、感光材料のロット、現像液の状態、出力環境温度等の出力条件の違いに応じて、異なる各波長の各光量値の組み合わせが設定されることにより、正しい色調のカラープルーフを作成することが可能となっている。尚、このような基本色のベタ濃度調整処理は、本発明の特徴部分であり、その詳細については後述する。
【００４３】
（画像処理装置の構成）
図２に、画像処理装置１０の具体的な制御構成を表す一例を示す。図２に示すように、画像処理装置１０は、出力装置２０を制御するコントローラとして機能し、外部から編集された画像編集ファイルの画像データが入力される入力インターフェースである入力部１１と、入力部１１にて入力された画像データをラスタイメージデータなどに展開すると共に分版して各色版データたる網点画像データを生成する処理などを行う網点画像データ作成部１２と、画像データやパラメータの設定条件などを記憶するハードディスク等の記憶部１７と、網点画像データ作成部１２からの網点画像データと、記憶部１７の測定テーブル（濃度‐光量相関テーブル）１７ａと、に基づいて、光量値の組み合わせを算出してベタ調整を行う調整演算処理部１３と、この調整演算処理部１３での光量値、並びに、網点画像データ作成部１２からの網点画像データを、例えば特１、Ｃ、Ｍ、Ｙ、Ｋ等の面順序で出力し、出力装置２０に転送制御する出力インターフェースである転送制御部１４と、各種情報や設定条件等の設定操作入力を行う操作部１６と、各種ＬＵＴなどの各種設定パラメータを設定する画面などを表示するＣＲＴや液晶パネルからなる表示部１５と、ＦＤＤなどの外部入出力装置１８と、網点画像データ作成部１２、調整演算処理部１３、転送制御部１４、操作部１６、記憶部１７、表示部１５、及び外部入出力装置１８をそれぞれ制御するためのＣＰＵなどからなる制御部１９と、を含んで構成される。
【００４４】
尚、制御部１９、並びに調整演算処理部１３により、算出手段を構成できる。この算出手段は、本発明の「濃度／光量テーブル更新手段」、若しくは、「色／光量テーブル更新手段」に対応するものであって、少なくとも網点画像データの網点に対応するベタ色（網点の割合が１００％）の各成分の各濃度値に基づいて、複数の光の発するべき最適な各光量値の組み合わせを算出する。
【００４５】
尚、制御部１９及び転送制御部１４で、本発明の「濃度／光量値算出手段」、若しくは、「色／光量値算出手段」を構成する。また、測定テーブル（濃度‐光量相関テーブル）１７ａは、本発明の「濃度／光量テーブル」に対応する。また、記憶部１７は、本発明の「濃度／光量テーブル記憶手段」に対応する。
【００４６】
このような、画像処理装置１０は、上流端末２から転送されてきた編集画像ファイルをラスタデータ等の画像データに展開すると共に、未だ分版されていない場合には当該画像データに基づき所定の色Ｙ、Ｍ、Ｃ、Ｋ及び特色に分版する分版処理を行い、分版された各データを出力装置２０に向けて転送制御動作を行う。
【００４７】
入力部１１には、文字、絵柄等の画像を総合的に統合して編集する編集用の上流端末２からの画像編集ファイルのカラー情報を含む、例えばページ記述言語（ＰＤＬ）等の画像データが入力される。この画像データとしては、上述したＰＳ・ＥＰＳ・ＰＤＦ等のページ記述言語で構成されたデータ以外にも、ＴＩＦＦ、ＴＩＦＦ／ＩＴ等の汎用フォーマットデータ、主要メーカーが自社専用フォーマットとして取り扱っているデータ、その他、これに類する種々のデータなども含まれる。
【００４８】
網点画像データ作成部１２は、スプール用バッファを含む記憶部１７などを利用して、入力されたデータ、例えばＰＤＬデータを所定の画像出力条件（網点の形状、網角度、スクリーン線数、感光材料のガンマ特性、現像機の特性等）に応じて２値画像データであるラスタイメージデータに展開すると共に、分版を行い、網点画像データを生成する処理などを行う。
【００４９】
転送制御部１４は、この展開分版された画像データを出力装置２０に対して転送するなどの処理を行う。これにより、電子製版の元になる電子製版用画像データからラスターイメージフォーマットのＹ、Ｍ、Ｃ、Ｋの画像データを、各色毎に順番（面順次）に生成する。
【００５０】
そして、電子製版用画像データから印刷物と同じスクリーン線数の網点の集合によって再現し、画素ゲイン量を印刷物のそれと近似させて再現する。これにより、印刷網点画像を忠実に再現する。ここで、網点とは、連続階調のある写真やイラストを印刷物として再現するためのスクリーンをかけた製版で作られる微細な点をいい、細かい点の集合によって視覚的に濃淡を感じることを利用したものである。
【００５１】
記憶部１７には、基本色のベタ濃度を調整する処理に必要な、最終印刷物である一つのターゲットに対応して、ある特定の感光材料を用いて、ある特定の出力装置２０により出力されたカラーチャートの濃度を測定することにより得られた各基本色成分、Ｄｃ、Ｄｍ、Ｄｙの濃度値と、この各濃度値に対応するＲＧＢの各光量値の組み合わせとの相関関係を定義した測定テーブル（濃度値‐光量値相関テーブル）１７ａや、当該測定テーブル１７ａを利用して、抽出された濃度値から対応する光量を算出処理するための処理プログラムなどが、特定のディレクトリにファイルとして格納されている。
【００５２】
尚、測定テーブル１７ａは、感光材料のロット、現像液の状態、出力環境温度等の出力条件の違いに応じて、複数を用意しておくことが好ましいが、例えば、基準となる測定テーブルと、この基準となる測定テーブルと前述した感光材料のロット、現像液の状態、出力環境温度等の出力条件の違いに応じた複数の測定テーブルの各々との誤差を補正する感度指数なるものを関連付けてテーブル化した感度指数テーブルとを用意しておき、例えば、表示部１５、或いは操作部１６において、感光材料のロット番号や、環境温度等が入力されることで、自動的に、これら基準となる測定テーブルと感度指数テーブルとを用いて、それらの出力条件に対応する測定テーブルを作成するようにしても良い。或いは、自動的に、それらの出力条件に対応するカラーチャンネル（カラーコレクション）色補正ＬＵＴを作成するようにしても良い。尚、この詳細については、後述する。さらに、特色用の測定テーブルや、光量値を算出するための処理プログラム等を用意しても良いことは勿論である。
【００５３】
また、記憶部１７は、この他、全体の制御プログラム及びフォントデータ、並びに色別分版処理（特色分版）のための制御プログラム、処理の途中経過などを一時的に記憶するワークメモリ、例えばポストスクリプト（ＰＳ）等のページ記述言語（ＰＤＬデータ）で記載された色データを含む図形ファイルデータ等を記憶するＰＳファイルメモリ、ＰＳファイルメモリのファイル中から全ての色のデータを抽出して記憶する色テーブルメモリ、特色分版された各色の分版ファイルをそれぞれ記憶する色別分版ファイルメモリ等、各種メモリ領域を含んでいる。
【００５４】
操作部１６は、表示部１５と兼用になっており、それぞれ操作入力手段としての入力キー等から入力して設定でき、例えば保存ボタン等を押下することにより設定したパラメータを記憶部１７に記憶させることができる。
【００５５】
表示部１５は、出力装置２０の状況や各種情報を表示する表示手段であると共に、各種設定や操作のための情報を入力する表示操作手段にもなっている。これら操作部１６及び表示部１５にて設定されるパラメータには、例えば、各種ＬＵＴ等がある。
【００５６】
尚、出力設定情報としては、画像処理装置１０の場合、出力解像度、網点情報、ポジネガ設定、回転要否、各種色調整用の各種テーブル情報等があり、出力装置２０の場合、露光用テーブル情報、エラーログ等がある。
【００５７】
制御部１９は、記憶部１７から出力装置２０について設定されて記憶された各種情報を読み出して、網点画像データ作成部１２に設定すると共に、これを表示部１５に表示させて、各種情報に基づいて、網点画像データ作成部１２を制御する。
【００５８】
ところで、画像処理装置１０と出力装置２０との間では、網点画像データの転送以外に、制御情報（感光材料の搬送指示、露光開始／中止指示、及びそれらへの応答等）の通信が行われることがある。このような場合、制御情報は、転送制御部１４を介して通信される。尚、このような制御情報の中継と網点画像データの転送とは、制御転送制御部１４内の複数の転送制御機能によって、各々独立して行われることが好ましい。
【００５９】
（出力装置の構成）
図２に、出力装置２０の具体的な制御構成を表す一例を示す。図２に示すように、出力装置２０は、画像処理装置１０から、例えば特１（特色１）、Ｃ、Ｍ、Ｙ、Ｋの順に転送された網点画像データに基づいて、走査線本数毎（１主走査分）の露光用フォーマットに変換し、変換された網点画像データを、Ｙ、Ｍ、Ｃ、ＢＫの全色１枚分の全データからなる画素データを走査線本数毎の露光用フォーマットで読み出し、全色のデータを同時（点順次）に出力することでレーザ露光を行う露光部２３と、露光部２３から搬送された感光材料を現像処理し、カラー画像が形成された感光材料をカラープルーフとして出力する出力部２４と、データバッファである情報一時格納部２１と、記憶部２５、設定部２６と、露光部２３及び出力部２４を制御する制御部２２と、を備えている。
【００６０】
尚、制御部２２は、印刷の基準色と感材に露光する光源の光の強度組成との対応関係を規定するカラーチャンネル色補正ＬＵＴに基づいて、露光量を制御し、感光材料の発色濃度を変化させて濃度を調整制御する。
【００６１】
情報一時格納部２１は、画像処理装置１０にて生成され、面順次に各色毎に転送されてきた網点画像データを、所定の領域に一時格納する。さらに、制御部２２により、走査線本数毎（１主走査分）の露光用フォーマットに変換された網点画像データをＹ、Ｍ、Ｃ、ＢＫ全色１枚分、他の所定の領域に一時格納する。
【００６２】
制御部２２は、Ｙ、Ｍ、Ｃ、ＢＫの全データからなる画素データを走査線本数毎の露光用フォーマットで読み出し、全色のデータを同時（点順次）に出力することで、感光材料上に画像を露光部２３にて露光するように制御する。
【００６３】
ところで、出力装置２０の不図示の感光材料収納部においては、感光材料として、例えばロール状のハロゲン化銀カラー写真感光材料がセットされており、制御部２２は、これを引き出してシート状に切断した後、露光部２３によって、その感光材料を並び替えられた網点画像データに応じてレーザ光で露光する。
【００６４】
出力部２４は、不図示の現像処理部において現像処理を行い、カラープルーフを作成する。
【００６５】
尚、露光部２３の不図示の光学ユニットにおいては、赤色レーザ光源、緑色レーザ光源（ＨｅＮｅ）、赤外レーザ光源などを構成することが好ましい。この際、緑色レーザ光源は、緑色レーザビームを発生して感光材料のマゼンタ発色層（Ｍ層）を感光させ、赤色レーザ光源は、赤色レーザビームを発生して感光材料のシアン発色層（Ｃ層）を感光させ、赤外レーザ光源は、赤外レーザビームを発生して感光材料のイエロー発色層（Ｙ層）を感光させる。この感光材料は、通常のカラー印画紙が青色感光イエロー発色層（Ｙ層）と、緑色感光マゼンタ発色層（Ｍ層）と、赤色感光シアン発色層（Ｃ層）とを有するのに対して、その内の青色感光イエロー発色層（Ｙ層）の青色感光を赤外感光にシフトし、赤外感光イエロー発色層にしたものである。
【００６６】
また、光学系における色数は、３個に限らず、例えば、青色レーザダイオード、赤色レーザダイオード、第１の赤外レーザダイオード（発振波長７６０〜８８０ｎｍ）、第２の遠赤外レーザダイオード（発振波長９００ｎｍ以上）の４個などであっても良い。
【００６７】
緑色レーザ光源、赤色レーザ光源、赤外レーザ光源は、変調信号に応じて光量変調されるようになっており、緑Ｇ、赤Ｒ、赤外ＩＲの３波長のレーザビームをそれぞれ発生して、感光材料のＣＭＹ層を感光させる構成とする。
【００６８】
記憶部２５内のＬＵＴ部は、印刷の基準色、即ち、Ｙ（イエロー）、Ｍ（マゼンタ）、Ｃ（シアン）及ＢＫ（ブラック）と、それら基準色を感光材料に露光する光源の光、即ち、Ｂ（ブルー）、Ｒ（レッド）、ＩＲ（赤外）の強度組成との対応を規定するＬＵＴ（ルックアップテーブル）データであるカラーチャンネル表２５ａを記憶している。このカラーチャンネル表２５ａの詳細については後述するが、基本色に対応したＬＵＴ等を含んでいる。
【００６９】
尚、基準色としては、通常のカラー画像印刷の原色であるＹ、Ｍ、Ｃ、ＢＫの４色や、加法混色の色の３原色であるＹ、Ｍ、Ｃの３色や、印刷の原色であるＹ、Ｍ、Ｃ、ＢＫの４色に１又は複数の特色を加えた５又はそれ以上の色などが挙げられるがこれらに限られない。因みに、Ｙはイエロー（黄色）、Ｍはマゼンタ、Ｃはシアン、ＢＫは墨色（黒色）、Ｂはブルー（青色）、Ｇはグリーン（緑色）、Ｒはレッド（赤色）を意味する。
【００７０】
また、印刷物によっては、色再現性を高めるために、Ｙ、Ｍ、Ｃ、Ｋ以外の特別な色のインク、所謂「特色」インクが用いられることがある。この特色インクの版は「特色版」と呼ばれる。特色インクとしては、緑色、オレンジ色などのインクの他に、金色、銀色その他のメタリックカラーのインク等の各種のインクが用いられる。さらに、特色インクは濃度が均一でない場合があり、ラメや金粉の混ざったものなどが用いられることもある。特色版は、ロゴのように予め特色であることが指定されている画像部品を再現する場合や、特色インクで刷ることによってカラー画像の色再現性を高めたい場合などに用いられることが多い。
【００７１】
ところで、前述のカラーチャンネル表２５ａは、画像処理装置１０側の記憶部１７に備えていても良い。しかしながら、出力装置２０側の記憶部２５、画像処理装置１０側の記憶部１７のいずれに備える場合であっても、これを更新、設定することが可能に構成することとする。
【００７２】
そして、制御部２２は、このカラーチャンネル表２５ａを用いて、送られた露光用フォーマットのＹ、Ｍ、Ｃ、Ｋのディジタル網点画像データを、Ｂ、Ｒ、Ｇの露光強度データに変換する。
【００７３】
その際、画素毎に、印刷物のＹ、Ｍ、Ｃ、ＢＫの網点画像データを、Ｂ、Ｒ、Ｇのレーザ強度の組み合わせに変換する。
【００７４】
尚、画像処理部１０の網点画像データ生成部１２により作成された各色（Ｙ、Ｍ、Ｃ、ＢＫ）の網点画像データは、出力装置２０の情報一時格納部２１に一時的に記憶される。そして、制御部２２は、情報一時格納部２１において転送速度の変動をアキュームしながら、ドットクロック等により各色の網点画像データは全色同時に読み出し、記憶部２５に送る。
【００７５】
ところで、ベタ調整等が行われる場合には、画像処理装置１０の調整演算処理部１３において調整処理が行われ、この際に抽出された各露光値等の制御情報がカラーチャンネルＬＵＴに反映される。そして、そのカラーチャンネルＬＵＴに関する情報が出力装置２０の記憶部２５に送られ、カラーチャンネル表２５ａの露光値等の更新処理が行われる。そして、ベタ調整等が反映されたカラーチャンネル表２５ａに基づいて、全色同時露光を行う。
【００７６】
この時、緑色レーザ光源、赤色レーザ光源、赤外レーザ光源が、設定されたカラーチャンネル表のＬＵＴのデータに基づいて発光し、カラー印刷物を印刷する際のインクの色及び／又は印刷用紙の色に対応した色を持つ画像を露光する。
【００７７】
また、この際、制御部２２は、不図示のセンサ類からの感光材料の先端位置に関する情報、及び、不図示のドラムの回転位置を検出するロータリエンコーダからのパルス信号のカウント値に基づいて、光学ユニットから発光されるレーザ光の照射位置に感光材料の画像記録領域が存在するか否か判断して、レーザ光の照射位置に感光材料の画像記録領域が存在する期間では、各レーザダイオードの各レーザ光源を駆動するドライバに入力される露光強度データが常にレーザダイオードを発光させるに足る露光強度データ値以上の露光強度データ値に変換されるＬＵＴデータが設定されるように制御する。
【００７８】
これにより、レーザ光照射位置に感光材料の画像記録領域がある期間では、レーザ光源のレーザダイオードは、常に発光し、良好な応答性になる。このようにして、ドラムに保持されている感光材料に対する網点画像の画像出力が行われる。他の出力装置２０Ｂの構成、及び動作も出力装置２０Ａの場合と同様である。
【００７９】
尚、感光材料に記録される画像の画像記録密度は、網点画像による階調の再現性などの観点から主走査方向及び副走査方向共に６００ｄｐｉ以上（特に１０００ｄｐｉ以上、更に１２００ｄｐｉ以上）が好ましく、また、網点画像による階調の再現性の飽和や画像記録速度や装置コストなどの観点から主走査方向及び副走査方向共に１００００ｄｐｉ以下（特に５０００ｄｐｉ以下）が好ましい。主走査方向及び副走査方向の画像記録密度は、主走査方向又は副走査方向１インチの長さの中に、画像記録される画素が幾つ並んでいるかを示すｄｐｉという単位で示される。
【００８０】
さらに、１つの網点は、１００以上（特に２００以上）の画素から記録されていることが、実際の印刷の網点に近い再現になり好ましい。また、１つの網点は、５０００以下（特に２０００以下）の画素から記録されていることが画像データの取り扱いが容易で、高速に画像データを処理でき好ましい。
【００８１】
また、露光光の各色の１秒当たりの記録画素数は、３００万画素／秒以上（特に１０００万画素／秒以上）であることが好ましい。これにより、高速画像記録と高精細な画像記録を両立させることができる。また、露光光の各色の１秒当たりの記録画素数は、４０億画素以下（特に５億画素以下）が好ましい。これにより、駆動回路が安定し、画像記録が安定し、露光強度や露光位置が安定し、低コストで、調整が容易にしやすい。
【００８２】
さらに、画像処理装置１０の制御部１９は、出力装置２０において設定される露光量情報等を、転送制御部１４、及び出力装置１０の制御部２２を介して検知できることとする。これにより、画像処理装置１０においても出力装置２０の露光量情報等を変更することができ、変更した露光量情報等は、転送制御部１４から改めて出力装置２０に転送されることとなる。
【００８３】
このように、カラー印刷物を作成するに当たって、様々な形式で記述されたディジタル画像データからラスターイメージフォーマットの画像データを作成し印刷版を作成する前に、画像処理装置１０の網点画像データ作成部１２でディジタル画像データからラスターイメージフォーマットの画像データを生成し、記憶部１７を利用して、出力装置２０に適合するフォーマットの画像データに並び替え、この並び替えられた画像データに基づいて、出力装置２０において画像を記録することにより、様々な形式で記述されたディジタル画像データから作成される印刷版で印刷されて得られる画像をシミュレーションするカラープルーフを作成して、ディジタル画像データが示す画像にレイアウト、色、文字等の誤りがあるか否かなどの誤りの有無を検査し、印刷物の仕上がりを事前に確認することができる。
【００８４】
尚、編集用の上流端末２から出力されたカラー情報を含むＰＤＬデータ等が、Ｃ、Ｍ、Ｙ、Ｋ、（若しくは特１）とからなる４（５）ページのすでに分版されているデータ（以下、必要に応じて既分版データともいう）である場合には、網点画像データ作成部１２では、処理モードを分版しないモード（非分版モード）としてラスタイメージ処理を行ってＣＭＹＫ特１の５版分のラスタイメージデータを出力することもできる。
【００８５】
一方、編集用の上流端末２から出力されたカラー情報を含むＰＤＬデータ等が１ページの記述である、未だ分版されていないデータ（以下、必要に応じて未分版データともいう。）である場合、網点画像データ作成部１２では、処理モードを分版するモード（分版モード）としてラスタイメージ処理を行ってラスタイメージデータを出力する。
【００８６】
このように、Ｙ、Ｍ、Ｃ、Ｋが混在している画像データを、各々のデータに分版（分解）する分版処理は、編集用の上流端末２により実行されても、網点画像データ作成部１２にて実行されても良い。即ち、画像データは、プロセスカラー（ＣＭＹＫ）や特色が混在した１つのデータファイルであることが一般的であるが、場合によっては、各々の色版を別個のデータとして渡したり、特色データのみを別個のデータファイルとして渡すこともあり、各々の色版を別個のデータとして渡されている場合には、網点画像データ作成部１２での分版処理は省略される。
【００８７】
（システムの概略動作）
以上に説明した構成において、カラープルーフを作成する場合には、まず、画像処理装置１０において、表示部１５及び操作部１６を用いて各種指定が行われる。制御部１９は、それらの指定入力情報を記憶部１７に記憶する。
【００８８】
制御部１９は、次に、入力部１１を介して上流端末２からカラー情報を含むページ記述言語（ＰＤＬデータ）の取り込みを開始し、ＰＤＬデータの供給が終了したか否かを判断する。
【００８９】
外部の上流端末２において編集加工が行われて転送されてきた、各種ページ記述言語などで記述された多値階調データである画像データは、網点画像データ作成部１２によって展開分版され、１枚のカラープルーフを作成するのに必要な色別分版ファイル（網点画像データ）が生成され、２値の網点である網点画像データの画素が生成される。
【００９０】
即ち、画像データは、印刷で再現できるデータであるから、当然、色に関する情報は、印刷に使う色で記述されている。従って、印刷色がプロセス色Ｙ、Ｍ、Ｃ、Ｋと特色の特１、特２である場合、画像データの色に関する記述はこれらの６色のみで記述されており、これから得られるラスター画像データは、これら６色の色情報を持っている。
【００９１】
尚、通常、ＲＩＰ処理は、色版毎の単色のラスター形式階調データを色数分出力するが、画素毎に各色階調値を並べた形式のデータであっても良い。いずれの形式においても、入力されたラスター画像データのある画素の色の値は、ベクトル値として、階調値＝（Ｃ、Ｍ、Ｙ、Ｋ、特１、特２）のように表現することが好ましい。各ベクトル成分はベタを１００、白を０とした０〜１００の数値（網点％）とする。
【００９２】
このとき、制御部１９は、他の指示がない場合には、デフォルトとして、網点画像データ作成部１２を分版処理モードに設定する。
【００９３】
転送されてきたカラー情報を含むＰＤＬデータが分版されているデータの場合には、網点画像データ作成部１２を予め分版モードに設定してラスタイメージ処理を開始し、分版されていないデータである場合には、網点画像データ処理部１２を非分版モードに設定して、カラー情報を含むＰＤＬデータを、網点画像データ作成部１２で分版処理でのラスタイメージ処理を行うようにする。
【００９４】
このように制御することにより、転送されてきたＰＤＬデータが分版されていないデータであれば、網点画像データ作成部１２を分版モードに設定し、そのまま処理を継続することで、結果として、所望の４版分のラスタイメージデータが得られる。
【００９５】
これにより、結果として、編集用の上流端末２における分版・非分版処理モードと、網点画像データ処理部における分版・非分版処理モードが適切に選択され、分版処理は、編集用のＰＣ２又は網点画像データ作成部１２の何れか一方にて実行される。
【００９６】
ページ記述言語で書かれたファイル（以下、ＰＳファイルともいう）は、文字、写真、図形等が混在するデータを統一して取り扱うことができ、このようなページ記述言語で書かれたグラフィックデータ等を多色刷りで印刷する場合は、各色ごとの分版ファイル（特色分版を含む）を生成する。具体的には、ページ記述言語で書かれた図形データ等を含むＰＳファイルの中から、使用されている全ての色のデータを解析し、この色データに基づき、それぞれ色別分版ファイルの色版データを生成する。
【００９７】
そして、転送制御部１４が出力装置２０に対して色版データを転送し、出力装置２０は、画像処理装置１０から所定の順序に従って、面順次に色版データを受付ける。
【００９８】
画像処理装置１０にて生成され、面順次に各色毎に転送されてきた色版データ、即ち、網点画像データは、出力装置２０において走査線本数毎（１主走査分）の露光用フォーマットに変換され、出力装置２０の情報一時格納部２１の所定領域に格納される。
【００９９】
この際、面順次の網点画像データ（印刷版に対応したＹ、Ｍ、Ｃ、ＢＫにそれぞれ分離されたデータ）は、露光部２３の複数ビーム本数の１走査分のデータの並びに変換される。
【０１００】
そして、走査線本数毎（１主走査分）の露光用フォーマットに変換された網点画像データをＹ、Ｍ、Ｃ、ＢＫ全色１画面分（１枚のカラープルーフを作成するのに必要な全色１枚分の網点画像データ）ずつ蓄積した後、Ｙ、Ｍ、Ｃ、ＢＫの全データからなる画素データを走査線本数毎の露光用フォーマットで読み出し、全色のデータを同時（点順次）に出力する。
【０１０１】
制御部２２は、入力されたＹ、Ｍ、Ｃ、ＢＫの全データからなる画素データを走査線本数毎の露光用フォーマットにした画像データに基づき、網点の画素数をカウントし、このカウントは、例えば、１ライン分又は１頁分の網点画像データの画素について続けて行う。
【０１０２】
そして、その網点画像データについて主走査方向のドット数や副走査方向のドット数（ライン数）をカウントし、カウントされたカウント値を参照して画像サイズを算出しつつ、制御部２２は、感光材料に画像を露光部２３にて露光するように制御する。
【０１０３】
尚、出力装置２０の感光材料収納部では、感光材料として、例えばロール状のハロゲン化銀カラー写真感光材料がセットされており、制御部２２は、これを引き出してシート状に切断した後、露光部２３によって、並び替えられた網点画像データに応じてレーザ光で露光し、その後、出力部２４の現像処理部によって現像処理することでカラープルーフを作成する。
【０１０４】
［カラープルーフ作成システムの詳細構成］
次に、本実施形態におけるカラープルーフ作成システムの詳細構成、及び詳細動作について、本発明の特徴部分であるベタ色の濃度調整を主として説明する。
【０１０５】
（画像処理装置の詳細構成）
図３に、画像処理装置１０の詳細な制御構成を表す一例を示す。図３に示すように、画像処理装置１０の記憶部１７は、予め、出力装置２０の出荷時等において、最終印刷物である一つのターゲットに対応して、ある特定の感光材料を用いて出力されたカラーチャートの基本色のベタ濃度値を濃度計で計測することにより得られた濃度値（Ｄｃ、Ｄｍ、Ｄｙ）と、その時の光量値（Ｒ、Ｇ、Ｂ）との相関関係を定義した測定テーブル（濃度（Ｄｃ、Ｄｍ、Ｄｙ）‐光量（Ｒ、Ｇ、Ｂ）相関テーブル）１７ａを含んで構成されている。
【０１０６】
尚、測定テーブル１７ａは、感光材料のロット、現像液の状態、出力環境温度等の出力条件の違いに応じて、複数を用意しておくことが好ましいが、例えば、図４に示すように、幾つかの基準となる測定テーブル（基準濃度テーブル）と、それらの基準となる測定テーブル（基準濃度テーブル）と感光材料のロット、現像液の状態、出力環境温度等の出力条件の違いに応じた複数の測定テーブルの各々との誤差を補正する感度指数なるものを関連付けてテーブル化した感度指数テーブルとを用意しておき、例えば、表示部１５、或いは操作部１６において、感光材料のロット番号や、環境温度等が入力されることで、自動的に、それらの出力条件に対応する測定テーブル（補正濃度テーブル）が作成されるようにしても良い。或いは、自動的に、それらの出力条件に対応するカラーチャンネル（カラーコレクション）色補正ＬＵＴを作成するようにしても良い。尚、この詳細については、後述する。さらに、出力装置２０に、不図示の感光材料収納部（例えば、マガジン１・・・８）が複数設けられる場合には、その各々に収納される感光材料に対応して、補正濃度テーブルが作成されるようにしても良い。因みに、図４に示す基準濃度テーブル、感度指数テーブル、補正濃度テーブルは、一例を示したものであり、これに限定されるものではない。
【０１０７】
さらに、記憶部１７には、基本色に関してベタ調整された各光の露光量を印刷の基準色毎に定義したカラーチャンネル（カラーコレクション）色補正ＬＵＴ１７ｂと、各基本色（プロセスカラー：Ｃ、Ｍ、Ｙ、Ｋ）に関してドットゲイン補正を行うためのドットゲイン補正ＬＵＴ１７ｃと、各基本色に関してキャリブレーション補正を行うためのキャリブレーション補正ＬＵＴ１７ｄと、ＩＣＣ（Ｉｎｔｅｒｎａｔｉｏｎａｌ  Ｃｏｌｏｒ  Ｃｏｎｓｏｒｔｉｕｍ）で標準規定されるＩＣＣプロファイルに関する色補正情報を格納したＩＣＣプロファイル色補正情報格納手段１７ｅと、ＩＣＣデバイスリンクプロファイルに関する色補正情報を格納したＩＣＣデバイスリンクプロファイル色補正情報格納手段１７ｆと、を含んで構成されている。
【０１０８】
尚、記憶部１７は、本発明の「色／光量テーブル記憶手段」に対応する。また、カラーチャンネル（カラーコレクション）色補正ＬＵＴ１７ｂは、本発明の「色／光量テーブル」に対応する。
【０１０９】
調整演算処理部１３は、基本色の測定テーブル１７ａに基づいて、ベタ調整のための光量値の組み合わせを算出する算出手段である光量値演算処理手段１３ａと、ドットゲイン補正ＬＵＴ１７ｃに基づいて、網点画像データのドットゲイン補正の演算処理を行うドットゲイン補正演算処理手段１３ｂと、キャリブレーション補正ＬＵＴ１７ｄに基づいて、網点画像データのキャリブレーション補正の演算処理を行うキャリブレーション補正演算処理手段１３ｃと、ＩＣＣプロファイル色補正情報格納手段１７ｅの情報に基づいて、ＩＣＣプロファイル色補正の演算処理を行うＩＣＣプロファイル色補正演算処理手段１３ｄと、ＩＣＣデバイスリンクプロファイル色補正情報格納手段１７ｆの情報に基づいて、ＩＣＣデバイスリンクプロファイル色補正の演算処理を行うＩＣＣデバイスリンクプロファイル色補正演算処理手段１３ｅと、これらの各補正演算の演算順序や必要な補正演算のみを行うように制御する演算手順制御手段１３ｆと、を含んで構成されている。
【０１１０】
因みに、調整演算処理部１３ｆは、この他、光量値演算処理手段１３ａにより算出された光量値の組み合わせに基づいて、例えば、基本色のベタ（網１００％）の場合の各基準色の光量値の組み合わせを定義したカラーチャンネル色補正ＬＵＴ１７ｂに関する情報を、出力装置２０に対して転送し、出力装置２０にてデフォルトで設定されているＬＵＴをカラーチャンネル色補正ＬＵＴ１７ｂの情報に置き換える処理を促す処理手段などを含んでも良い。
【０１１１】
この際、処理手段は、出力装置２０のカラーチャンネル色補正ＬＵＴ１７ｂに関する情報を取得し、画像処理装置１０側において置き換える必要があるか否かを判断する判断手段を備えても良い。
【０１１２】
尚、ドットゲイン補正演算処理手段１３ｂ、並びに演算手順制御手段１３ｆとで、調整演算手段を構成できる。この調整演算手段は、印刷された網点の面積比に対する網点画像データの網点の面積比を規定したドットゲインＬＵＴ１７ｃに基づいて、基本色を、印刷物の種別に応じた網点面積比の変動を補正しつつ、光量値の組み合わせを算出して調整を行う。
【０１１３】
また、キャリブレーション補正演算処理手段１３Ｃ、並びに演算手順制御手段１３ｆとで、調整演算手段を構成できる。この調整演算手段は、キャリブレーションＬＵＴ１７ｄに基づいて、基本色を色補正しつつ、光量値の組み合わせを算出して調整を行う。
【０１１４】
表示部１５には、例えば測定テーブル１７ａに関する情報を設定入力するための第１の設定手段１５ａと、基本色（プロセスカラー）によるカラーチャンネル色補正ＬＵＴ１７ｂに関する情報を設定入力するための第２の設定手段１５ｂと、基本色（プロセスカラー）のドットゲイン補正ＬＵＴ１７ｃに関する情報を設定入力するための第３の設定手段１５ｃと、基本色のキャリブレーション補正ＬＵＴ１７ｄに関する情報を設定入力するための第４の設定手段１５ｄと、ＩＣＣプロファイル色補正に関する情報を設定入力するための第５の設定手段１５ｅと、ＩＣＣデバイスリンクプロファイルに関する情報を設定入力するための第６の設定手段１５ｆと、を含んで構成されている。
【０１１５】
尚、第１の設定手段１５ａと第２の設定手段１５ｂは、各々、本発明の「濃度値入力手段」に対応する。
【０１１６】
表示部１５には、この他、前述した感光材料のロット、現像液の状態、出力環境温度等の出力条件の違いに応じた測定テーブル（補正濃度テーブル）を作成するべく、それら出力条件を設定する第７の設定手段１５ｇを含んで構成されている。
【０１１７】
尚、制御部１９及び光量値演算処理手段１３ａで、抽出手段を構成できる。この抽出手段は、測定テーブル１７ａを用いて、第１の設定手段１５ａにより設定された基本色のベタ（網１００％）の測定値に応じた光量値を抽出する。そして、その光量値に基づいて、カラーチャンネル色補正ＬＵＴ（カラーチャンネル表）１７ｂを作成する。
【０１１８】
ここに、測定テーブル１７ａとは、具体的には、図５に示す構造を有しており、例えば、光量値の０〜２５５と測定濃度値（ＣＭＹ）との関係を定義したテーブルのことをいう。測定濃度値は、Ｃフィルター濃度値Ｄｃ、Ｍフィルター濃度値Ｄｍ、Ｙフィルター濃度値Ｄｙを通した時の濃度値として、光量値を５ステップで１段階で５２ステップ、例えば（Ｒ、Ｇ、Ｂ）で（２５５、０、０）までいくと、次に（０、５、０）から（２５５、５、０）となり、同様にして（２５５、２５５、２５５）になるまで繰り返され、５２×５２×５２＝１４０６０８通りを全部測定することで得られる値である。
【０１１９】
即ち、出力装置２０の出荷時等においては、予め、最終印刷物である一つのターゲットに対応して、ある特定の感光材料を用いて出力されたカラーチャートの基本色のベタ濃度値を濃度計で計測することにより得られた濃度値（Ｄｃ、Ｄｍ、Ｄｙ）と、その時の光量値（Ｒ、Ｇ、Ｂ）との相関関係を定義した測定テーブルが作成される。濃度計においては、Ｖの値（省略）、Ｄｃの値、Ｄｍの値、Ｄｙの値が各々検出される。この濃度計に対して、ＲＳ２３２Ｃを介してＰＣ等に繋いでデータの入力を行う。因みに、この際、第１の設定手段１５ａ、或いは、第２の設定手段を用いてデータの入力を行っても良い。入力されたデータは、記憶部１７に測定テーブル１７ａとして搭載される。
【０１２０】
また、カラーチャート３０ａとは、具体的には、図６に示す構造を有しており、例えば、Ｋ、３Ｃ（Ｃ、Ｍ、Ｙ）の各網点（例えば網２０％、４０％、６０％、８０％のもの）と、Ｋ、３Ｃ、４Ｃ（Ｃ、Ｍ、Ｙ、Ｋ）、Ｃ、Ｍ、Ｙ、Ｒ（Ｍ＋Ｙ）、Ｇ（Ｃ＋Ｙ）、Ｂ（Ｃ＋Ｍ）のベタ（網１００％）を各々出力したものとなっている。因みに、測定テーブル１７ａを作成する際には、Ｋ、３Ｃ、４Ｃ、Ｃ、Ｍ、Ｙ、Ｒ、Ｇ、Ｂの各々のベタ濃度を測定することとなる。
【０１２１】
このように、本実施形態においては、カラーチャート３０ａを、各色の各網点のものと、各色のベタのものとを併せて出力する構成としているので、１つのカラーチャート３０ａを用いて、カラーチャンネル色補正ＬＵＴ（カラーチャンネル表）の調整と基本色のベタ濃度の調整を共に行うことができる。
【０１２２】
説明に戻って、抽出手段の光量値演算処理手段１３ａは、測定テーブル１７ａを参照して、濃度値（Ｄｃ、Ｄｍ、Ｄｙ）に最も近似した測定値（Ｒ、Ｇ、Ｂ）の組み合わせを探して選択し、対応する光量値を算出する。そして、制御部１９は、その光量値に基づいて、カラーチャンネル色補正ＬＵＴ（カラーチャンネル表）１７ｂを作成する。
【０１２３】
尚、本実施形態においては、測定テーブル１７ａの例として、光量値が５ステップのものを挙げているが、このステップは、さらに細かくすることもでき、濃度計の最小分解能の測定値を利用した場合には、例えばＲの光量値が０、１、２、・・・と１ステップずつ増えていき、Ｒ、Ｇ、Ｂの組み合わせは、２５６×２５６×２５６のパターンを構成できる。また、測定テーブル１７ａは、前述したように、感光材料のロット、現像液の状態、出力環境温度等の出力条件の違いに応じて、複数の測定テーブルを基本色の各々について用意することが好ましい。
【０１２４】
また、本実施形態においては、カラーチャート３０ａの例として、Ｋ、３Ｃ（Ｃ、Ｍ、Ｙ）の各網点（例えば網２０％、４０％、６０％、８０％のもの４つ）と、Ｋ、３Ｃ、４Ｃ（Ｃ、Ｍ、Ｙ、Ｋ）、Ｃ、Ｍ、Ｙ、Ｒ（Ｍ＋Ｙ）、Ｇ（Ｃ＋Ｙ）、Ｂ（Ｃ＋Ｍ）のベタ（網１００％）を各々出力したもののみを挙げているが、これらの組み合わせは、必要に応じて増減させることもでき、適宜、その組み合わせが選択されることが好ましい。また、各網点の数も、必要に応じて増減させることができ、また、その割合（％）も、任意に選択することができる。
【０１２５】
また、カラーチャンネル色補正ＬＵＴ（カラーチャンネル表）１７ｂとは、具体的には、図７に示す構造を有しており、ここで、基準色の色は、組み合わせとして、Ｙ、Ｍ、Ｃ、Ｂ、（Ｙ＋Ｍ）Ｒ、（Ｍ＋Ｃ）Ｂ、・・の１６パターンを有している。つまり、網点の並びにおいて、ある網点に角度の違う他の網点が重なる際に、起こり得る組み合わせとしては１６通りある。そして、各色毎に、例えば０〜２５５までのどの程度の強さで露光するかの情報がテーブル化されている。
【０１２６】
尚、後述するように、例えば、第２の設定手段を用いて、濃度計により測定されたカラーチャート３０ａのＫ、３Ｃ、４Ｃ、Ｃ、Ｍ、Ｙ、Ｒ、Ｇ、Ｂのベタを各々測定することにより得られた各色成分の濃度値が入力されることで、補正されたカラーチャンネル（カラーコレクション）色補正ＬＵＴを作成するようにする場合には、カラーチャンネル色補正ＬＵＴ（カラーチャンネル表）１７ｂを構成するＹ、Ｍ、Ｃ、Ｂ、（Ｙ＋Ｍ）Ｒ、（Ｍ＋Ｃ）Ｂ、・・の１６パターンの各々に、各色成分であるＹ、Ｍ、Ｃ、Ｂの濃度値に関する情報を付加することとなる。この詳細については後述する。
【０１２７】
即ち、カラーチャンネル色補正ＬＵＴ（カラーチャンネル表）１７ｂは、例えば、印刷の基準色、即ち、Ｙ（イエロー）、Ｍ（マゼンタ）、Ｃ（シアン）、Ｂ（ブルー）、Ｇ（グリーン）、Ｒ（レッド）、ＢＫ（ブラック）、ＧＹ（グレイ）及びＷ（ホワイト）と、それら基準色を感光材料に露光する光源の光、即ち、Ｒ（レッド）、Ｇ（グリーン）、Ｂ（乃至はＩＲ（赤外））の強度組成との対応を規定するデータを記憶する。
【０１２８】
このように、カラーチャンネル色補正ＬＵＴ（カラーチャンネル表）１７ｂの露光量は、制御部１９、並びに調整演算処理部１３からなる算出手段により、自動的に設定される。しかしながら、例えば、表示部１５にカラーチャンネル色補正ＬＵＴ（カラーチャンネル表）１７ｂの内容を表示して、必要に応じて、第２の設定手段１５ｂにより、その内容を任意に変更できるように構成しても構わない。
【０１２９】
このような場合には、例えば表示部１５において、カラーコレクション設定画面として、１つのチャンネル、例えばチャンネル１のカラーチャンネル色補正ＬＵＴデータとテンキーを含む画面を表示することが好ましい。カラーチャンネル色補正ＬＵＴデータの数値は、デフォルト状態では標準的な値となっている。この画面上で、特定の出力条件やベタ調整の可否等を選択して所望のチャンネルを表示させる。さらに、そのチャンネルにおいて、所望の基準色Ｙ〜Ｗ乃至はその他の基準色を選択し、それに対応するレーザＲ、Ｇ、ＩＲの強度組成値を調整変更しても良い。
【０１３０】
ところで、最終印刷物であるターゲットのＹ、Ｍ、Ｃ、Ｋの色あいは、印刷に使用するインクや用紙の種別等によって異なるため、基準色Ｙ〜Ｗに対応するレーザＲ、Ｇ、ＩＲの強度組成は、印刷に使用するインクや用紙の種別等に応じて設定されることが好ましい。そこで、前述した出力条件の違いに応じる場合と同様に、幾つかの基準となる測定テーブル（基準濃度テーブル）と、それら基準となる測定テーブル（基準濃度テーブル）と印刷に使用するインクや用紙の種別等に応じた複数の測定テーブルの各々との誤差を補正する感度指数なるものを関連付けてテーブル化した感度指数テーブルとを用意しておき、例えば、表示部１５の第７の設定手段１５ｇ、或いは操作部１６において、印刷に使用されるインクや用紙の種別等が入力されることで、自動的に、これら基準となる測定テーブルと感度指数テーブルとを用いて、それらの印刷条件に対応する測定テーブル（補正濃度テーブル）が作成されるように構成することが好ましい。或いは、自動的に、それらの印刷条件に対応するカラーチャンネル（カラーコレクション）色補正ＬＵＴが作成されるように構成することが好ましい。これにより、細かな設定は不要となる。
【０１３１】
同様に、印刷用紙の地色が感光材料の地色と異なるときは、基準色Ｙ〜Ｗに対応するレーザＲ、Ｇ、ＩＲの強度組成は、それに応じて設定されることが好ましい。
【０１３２】
このような設定を行うことにより、カラープルーフの作成時には、印刷時に用いられるインクや用紙の種別等に対応したカラーチャンネル色補正ＬＵＴが用いられることになるので、インクの色合いに加えて印刷用紙の地色等にも適応したカラープルーフを作成することができる。
【０１３３】
また、印刷機においては、印刷されたドットが網版のドットより大きくなる、所謂ドットゲインが生じる。このドットゲインもインク及び印刷用紙の種別により左右されるものである。そこで、感光材料の種別に応じても、網点画像データを修飾し、印刷時のドットゲインに相当するドットゲインを付与する設定も自動的に行うことが好ましい。
【０１３４】
また、各色の網点の割合（以下、網％と称する）に基づき、その値の異なるものについて順次番号を付したテーブルを設け、このテーブルの情報とドットゲインを付与する設定パラメータとを相関させて自動的に網％を設定する構成とすることが好ましい。このテーブルのカラーコード及び網％情報に従って、各対応する分色版毎に所望の網点が形成されたカラープルーフが作成される。このカラープルーフの着色領域に発生する網点の角度、或いは網線数、また網点の形状を容易に変化させることで、原稿の調子をよく再現することができたり、或いは原稿の調子と異なるような変化をつけたり、さらに部分的に強調したりすることができる。
【０１３５】
即ち、演算手順制御手段１３ｆは、上述した光量値の演算、ドットゲイン補正、キャリブレーション補正、ＩＣＣプロファイル乃至はＩＣＣデバイスリンクプロファイルによる色補正等の補正を行う手順に従って、光量値演算処理手段１３ａ、ドットゲイン補正演算処理手段１３ｂ、キャリブレーション補正演算処理手段１３ｃ、ＩＣＣプロファイル補正演算処理手段１３ｄ、ＩＣＣデバイスリンクプロファイル補正演算処理手段１３ｅの各部を制御する。もちろん、何れの補正を行うかを設定手段１５ａ〜１５ｇにより設定されている場合には、設定された補正のみを行うように制御する。
【０１３６】
例えば、光量値演算処理手段１３ａは、測定テーブル１７ａを参照しながら濃度に対応する光量を算出する。この光量値は、前述したように、最終印刷物である一つのターゲットに対応して、ある特定の感光材料を用いて出力されたカラーチャートの濃度を測定して、その測定値に基づいて算出されたものであるから、必然的に、その一つのターゲットの形態に応じた濃度調整が反映されたものとなる。言い換えれば、この測定テーブル１７ａを用いた光量で露光することで、その一つのターゲットに対応して、網点濃度のずれが補正された状態での出力が可能となる。
【０１３７】
しかしながら、この測定テーブル１７ａは、最終印刷物である一つのターゲット（例えばアート紙）に対応したベタ調整用のテーブルであることから、他のコート紙や上質紙についても、さらには、他のロットのターゲット（例えばアート紙）を用いた場合、ある種類のインクを用いた場合、他の種類のインクを用いた場合等の印刷条件に応じて、複数の測定テーブルが用意されることが好ましい。この際、幾つかの基準となる測定テーブル（基準濃度テーブル）と、それらの基準となる測定テーブル（基準濃度テーブル）と印刷用紙の種類やロット、インクの種類等の印刷条件の違いに応じた複数の測定テーブルの各々との誤差を補正する感度指数なるものを関連付けてテーブル化した感度指数テーブルとを用意しておき、例えば、第７の設定手段１５ｇによって、“コート紙、インクＡ”等の設定を行うことにより、対応する感度指数が選択され、その感度指数と基準となる測定テーブル（基準濃度テーブル）とを用いて、補正された測定テーブル（補正濃度テーブル）が作成されるように構成しても良い。或いは、自動的に、対応するカラーチャンネル（カラーコレクション）色補正ＬＵＴが作成されるように構成しても良い。これにより、ターゲットに適合した網点の出力が行われることとなる。
【０１３８】
図３に説明を戻すと、光量値演算処理手段１３ａは、例えば、各色版の網点画像データの網点に応じた各露光量の組み合わせを、その濃度の測定値に基づいて測定テーブル１７ａを参照することで算出し、その露光量に基づいて、カラーチャンネルＬＵＴ１７ｂを生成して、網点画像データに対してベタ調整を鑑みた露光量を算出する。
【０１３９】
ところで、これらカラーチャンネルＬＵＴ１７ｂの状態は、例えば表示部１５から確認することができることする。そして、必要に応じて第２の設定手段１５ｂにより、その設定を行うことができるものとする。即ち、前述した測定テーブル（補正濃度テーブル）を作成することに替えて、ある特定の感光材料を用いたカラーチャートの濃度を測定することにより得られた各基本色成分、Ｄｃ、Ｄｍ、Ｄｙの濃度値を第２の設定手段１５ｂを用いて入力することで、自動的に、それらの出力条件に対応するカラーチャンネルＬＵＴ１７ｂが作成されるようにする。例えば、制御部１９及び光量値演算処理手段１３ａからなる抽出手段は、第２の設定手段１５ａにより入力された各基本色成分、Ｄｃ、Ｄｍ、Ｄｙの濃度値と、このカラーチャンネルＬＵＴ１７ｂの各色の各基本色成分の濃度値とを比較することで、その誤差を抽出し、その誤差に基づいてカラーチャンネルＬＵＴ１７ｂの各色の各基本色成分の濃度値に対応する光量値（Ｒ、Ｇ、Ｂ）をシフトする処理を行うことで、補正されたカラーチャンネルＬＵＴ１７ｂを作成する。尚、制御部１９及び光量値演算処理手段１３ａからなる抽出手段は、本発明の「色／光量テーブル更新手段」に対応する。
【０１４０】
そして、所定の操作によって、当該露光量に関する制御情報、即ち、カラーチャンネルＬＵＴ１７ｂに関する情報が転送制御部１４を介して、出力装置２０へ転送され、出力装置２０は、カラーチャンネルＬＵＴ１７ｂに関する情報に基づいて、記憶部２５のカラーチャンネル表２５ａの露光量情報を更新処理する。
【０１４１】
また、ドットゲイン補正を行う場合には、ドットゲイン補正演算処理手段１３ｂにより網点画像データ乃至は光量値に対するドットゲイン補正が行われる。これは、印刷されたドットの面積比に対する網版のドットの面積比を規定したドットゲイン補正ＬＵＴ１７ｃにより、印刷物の種別に応じた網点面積比の変動を補正するものである。尚、ドットゲイン補正ＬＵＴ１７ｃは、具体的には、本実施形態においては、例えば、図６に示すカラーチャート３０ａのＫ、３Ｃ（Ｃ、Ｍ、Ｙ）の各網点（例えば網２０％、４０％、６０％、８０％のもの）の濃度を測定することで得られるＣＭＹＫの各色についての網点面積率の算出結果に基づいて作成される。
【０１４２】
これにより、網点タイプのカラープルーフプリンターではＣＭＹＫの各色材の色が印刷インキ色に近いため、網点太りの違いの補正（ドットゲインカーブ補正）を印刷機の種別や個体差に応じて行うことが可能になる。
【０１４３】
また、キャリブレーション補正を行う場合には、キャリブレーション補正演算処理手段１３ｃにより網点画像データ乃至は光量値に対するキャリブレーション補正が行われる。これは、出力装置の機種に応じた網点の色の変動を規定するキャリブレーション補正ＬＵＴ１７ｄにより、色補正を行うものである。
【０１４４】
さらに、ＩＣＣプロファイルによる色補正を行う場合には、ＩＣＣプロファイル色補正演算処理手段１３ｄにより網点画像データ乃至は光量値に対する色補正が行われる。
【０１４５】
一方、ＣＭＳに含まれるＩＣＣデバイスリンクプロファイルによる色補正を行う場合には、ＩＣＣデバイスリンクプロファイル色補正演算処理手段１３ｄにより網点画像データ乃至は光量値に対する色補正が行われる。
【０１４６】
ここに、プロファイルとは、特定のデバイス（例えば印刷機、プリンタなど）の色を、前述の標準的な色空間（Ｌ＊ａ＊ｂ＊）に変換するための変換パラメータのことである。プロファイルの形式についてはＩＣＣ（Ｉｎｔｅｒｎａｔｉｏｎａｌ  Ｃｏｌｏｒ  Ｃｏｎｓｏｒｔｉｕｍ）という団体によって国際的に標準化されつつある。尚、上記色空間（Ｌ＊ａ＊ｂ＊）はＣＩＥが推薦するＣＩＥＬＡＢと呼ばれる色度図であり、Ｌ＊は明度を表し、ａ＊は赤又は緑の度合いを表し、ｂ＊は黄又は青の度合いを表す。
【０１４７】
また、カラーマネジメントシステム（以下、「ＣＭＳ」とも呼ぶ。）とは、スキャナや印刷機、ディジタルプリンタなどの印刷装置（総称して「デバイス」と呼ばれる。）が複数ある場合に、これらのデバイスの間で、出力の色合わせを実現する機能である。通常、異なるデバイス（たとえば印刷と静電複写方式）によって同じ画像デ一タ（例えばＣＭＹＫの色データ）を出力した場合、実際に得られる出力物の色は異なってしまう。これは、ＣＭＹＫという色記述が、人間の感覚で表される色を直接には記述しておらず、デバイスの出力信号のみを記述しているためで、ＣＭＹＫやＲＧＢはいわば「デバイスに依存する色」といえる。これに対し、デバイスに拠らず絶対的に「人間の感覚として表される色」は、ＣＩＥ（国際照明委員会）の規定する標準の色空間（ＸＹＺやＬ＊ａ＊ｂ＊）で記述することができる。ＣＭＳの働きは、各々のデバイスのＣＭＹＫやＲＧＢ等の色が、標準の色空間でどの色に相当するのかを、事前にプロファイルと呼ばれる記述データ（色変換を行う際に使用する変換パラメータということができる）によって記述しておき、プロファイルを参照しながら画像に対して色変換を施すことによって、異なるデバイスでも同じ色の出力物を得ることである。
【０１４８】
スキャナ、プリンタ、パソコン、表示装置等で構成されているカラーマネジメントシステムにおいては、工場出荷時にスキャナ、プリンタ、及び表示装置が持っている個々の特性を盛り込んでデータ処理された基本ＩＣＣプロファイル（機器の特性が入っている情報ータ）を画像処理装置内に収容し、システム全体としてのカラーマッチング処理が行われる。
【０１４９】
この際、制御部１９、並びに調整演算処理部１３からなる算出手段は、ＩＣＣ（Ｉｎｔｅｒｎａｔｉｏｎａｌ  Ｃｏｌｏｒ  Ｃｏｎｓｏｒｔｉｕｍ）で標準規定されるカラーマネジメントシステムにおける、出力装置についての基本色の組み合わせに対応する表色系の値を格納したプロファイルにて、特定の印刷装置の色を、標準的な色空間に変換して色調整しつつ、光量値の組み合わせを算出して調整を行う。
【０１５０】
また、デバイスリンクプロファイルは、印刷機に合った出力を出力装置で得ることができるように、色合わせの目標となる印刷機について４色又は３色の基本色の組み合わせの入力値に対する出力値として表色系の値を規定した一方の第１のプロファイル、目標となる色を再現する出力装置について表色系の値の組み合わせの入力値に対する出力値として４色又は３色の基本色の値を規定した他方の第１のプロファイル、又は、２つの第１のプロファイルに基づいて作成した印刷機での出力用の４色又は３色の基本色の組み合わせの入力値に対する出力値として４色又は３色の基本色の組み合わせの値を規定したものである。
【０１５１】
そして、制御部１９、並びに調整演算処理部１３からなる算出手段は、デバイスリンクプロファイルに基づいて色調整しつつ、光量値の組み合わせを算出して調整を行う。
【０１５２】
これら各種補正が行われるか、或いは光量演算処理手段１３ａによるベタ調整が行われると、光量値の組み合わせに関する情報は、転送制御部１４を介して出力装置２０の記憶部２５に向けて転送される。そして、この光量値（の組み合わせ）に関する情報に基づいて、新たなカラーチャンネル表たるカラーチャンネル色補正ＬＵＴが生成されて、デフォルトで設定されていたカラーチャンネル表（ＬＵＴ）と置き換わる処理がなされる。そして、この新たなカラーチャンネル表に基づいて、露光部２３は露光処理を行い、その後現像処理等を行ってカラープルーフを出力することとなる。
【０１５３】
或いは、光量演算処理手段１３ａによるベタ調整が行われると、光量の組み合わせに関する情報に基づいて、基準色に応じたカラーチャンネル表であって、ベタ調整を鑑みたカラーチャンネル色補正ＬＵＴ１７ｂが生成される。
【０１５４】
ここで、このカラーチャンネル色補正ＬＵＴ１７ｂに対して、ドットゲイン補正やキャリブレーション補正等を行っても良い。
【０１５５】
次いで、カラーチャンネル色補正ＬＵＴ１７ｂに関する情報が転送制御部１４を介して出力装置２０の記憶部２５に転送され、デフォルトで設定されているカラーチャンネル色補正ＬＵＴと置き換えられる。
【０１５６】
そして、この置き換わった新たなカラーチャンネル色補正ＬＵＴ１７ｂに基づいて露光部２３は、露光を行い、現像処理等を行ってカラープルーフを出力することとなる。
【０１５７】
尚、以上に説明した各種補正を行うための各種ＬＵＴ等は、第１〜第７の各設定手段１５ａ〜ｇにより設定変更可能となっている。例えば、ドットゲイン補正ＬＵＴに関しては、表示部１５上にドットゲインカーブ等が表示され、複数ある場合は何れか一つの当該カーブを選択するか、当該カーブをマウス等で摘んで曲線を自由に変更するなどの変更操作設定を可能に構成する。他の各補正についても同様である。その際の表示態様は、特に問わない。
【０１５８】
（システムの詳細動作）
このようなカラープルーフ作成システムにおいて、ベタ濃度を調整する際の全体の処理手順の一例について、図８を参照しつつ説明する。
【０１５９】
まず、カラープルーフの色補正を行うべく、ベタ調整演算処理を行う（Ｓ０１）。このステップでは、網点の各基本色成分の階調濃度に応じた各露光値（Ｒ、Ｇ、Ｂ）の組み合わせが抽出される。
【０１６０】
具体的には、基本色のベタ濃度を調整する処理に必要な、最終印刷物である一つのターゲットに対応して、ある特定の感光材料を用いて、ある特定の出力装置２０により出力されたカラーチャートの濃度を測定する。このカラーチャートは、具体的には、図６に示すものである。
【０１６１】
前述のように、画像処理装置１０の記憶部１７には、予め、出力装置２０の出荷時等において、最終印刷物である一つのターゲットに対応して、ある特定の感光材料を用いて出力されたカラーチャートの基本色のベタ濃度値を濃度計で計測することにより得られた濃度値（Ｄｃ、Ｄｍ、Ｄｙ）と光量値（Ｒ、Ｇ、Ｂ）との相関関係を定義した測定テーブル（濃度（Ｄｃ、Ｄｍ、Ｄｙ）‐光量（Ｒ、Ｇ、Ｂ）相関テーブル）（基準濃度テーブル）１７ａが記憶されており、本実施形態においては、上述のカラーチャートのＫ、３Ｃ、４Ｃ、Ｃ、Ｍ、Ｙ、Ｒ、Ｇ、Ｂのベタを各々測定することにより得られた各色成分の濃度値と、この測定テーブル１７ａの各基本色成分、Ｄｃ、Ｄｍ、Ｄｙの濃度値とを比較することで、その誤差を抽出し、その誤差に基づいて測定テーブル１７ａの各基本色成分、Ｄｃ、Ｄｍ、Ｄｙの濃度値に対応する光量値（Ｒ、Ｇ、Ｂ）をシフトする処理を行うことで、補正された測定テーブル（補正濃度テーブル）を作成する。
【０１６２】
具体的には、例えば、出力装置２０の光量値（Ｒ、Ｇ、Ｂ）を“Ｈ”と“Ｌ”（但し、Ｈ＞Ｌ）の２段階に設定して、２種類のカラーチャートを出力する。そして、測定テーブル１７ａの各基本色成分、Ｄｃ、Ｄｍ、Ｄｙの濃度値に対応する光量値（Ｒ、Ｇ、Ｂ）を、図９に示すような濃度‐光量カーブにおいて、それぞれ表現した上で、例えば、測定された基本色成分Ｄｃの濃度値ＤＨ１、ＤＬ１と、濃度‐光量カーブとの誤差（＝測定テーブル１７ａの基本色成分Ｄｃの濃度値ＤＨＯ、ＤＬＯとの誤差）ＧＨ＝ＤＨＯ−ＤＨ１、ＧＬ＝ＤＬＯ−ＤＬ１を算出する。さらに、この際、各々の誤差の割合、即ち、ＧＨ［％］＝ＤＨＯ−ＤＨ１／ＤＨＯ、ＧＬ［％］＝ＤＬＯ−ＤＬ１／ＤＬＯを算出する。これにより、各々の誤差の割合を、図１０に示すような補正値を算出するためのグラフ上に表現することができる。ここで、図１０に示すグラフにおいて、各々の光量値における濃度‐光量カーブとの誤差Ｇ［％］は、図９に示す濃度‐光量カーブの各々の光量値におけるシフト量に対応し、その誤差Ｇ［％］の正負は、各シフト方向に対応している。そこで、本例においては、図１０に示すグラフの、各々の光量値における濃度‐光量カーブとの誤差Ｇ［％］の平均値を算出することで、図９に示す濃度‐光量カーブのシフト量と、シフト方向を求め、その補正を行うこととする。これにより、図９に示す濃度‐光量カーブは、全体として、図１１に示す濃度‐光量カーブのようにシフトされることとなる。因みに、図１１に点線で示す濃度‐光量カーブは、シフトされる前、即ち、補正を行う前のものを表している。このような補正は、測定テーブル１７ａの各基本色成分、Ｄｃ、Ｄｍ、Ｄｙの各々に対して行われる。
【０１６３】
尚、このように補正された測定テーブルを作成するべく出力されるカラーチャートの数や、濃度‐光量カーブをシフトさせる手法等は、これに限定されるものではなく、他の手法であっても良い。
【０１６４】
また、前述したように、上述のカラーチャートのＫ、３Ｃ、４Ｃ、Ｃ、Ｍ、Ｙ、Ｒ、Ｇ、Ｂのベタを各々測定することにより得られた各色成分の濃度値と、カラーチャンネルＬＵＴ１７ｂの各色の各基本色成分の濃度値とを比較することで、その誤差を抽出し、その誤差に基づいてカラーチャンネルＬＵＴ１７ｂの濃度値に対応する光量値（Ｒ、Ｇ、Ｂ）をシフトする処理を行うことで、補正されたカラーチャンネルＬＵＴ１７ｂを作成する場合にも、その対象が測定テーブル１７ａからカラーチャンネルＬＵＴ１７ｂへ替わるだけで、上述の濃度‐光量カーブをシフトさせる手法を用いて補正を行うこととなる。
【０１６５】
尚、前述したように、測定テーブル１７ａは、最終印刷物である一つのターゲット（例えばアート紙）に対応したベタ調整用のテーブルであることから、他のコート紙や上質紙についても、さらには、他のロットのターゲット（例えばアート紙）を用いた場合、ある種類のインクを用いた場合、他の種類のインクを用いた場合等の印刷条件に応じて、複数の測定テーブルが用意されることが好ましい。この際、前述したように、幾つかの基準となる測定テーブル（基準濃度テーブル）と、それらの基準となる測定テーブル（基準濃度テーブル）と印刷紙の種類やロット、インクの種類等の印刷条件の違いに応じた複数の測定テーブルの各々との誤差を補正する感度指数なるものを関連付けてテーブル化した感度指数テーブルとを用意しておき、例えば、第７の設定手段１５ｇによって、例えば、コート紙、インクＡ等の設定を行うことにより、対応する感度指数が選択され、その感度指数と基準となる測定テーブル（基準濃度テーブル）とを用いて、補正された測定テーブル（補正濃度テーブル）が作成される構成としても良い。
【０１６６】
そして、このようにして作成された補正された測定テーブル（補正濃度テーブル）における各光量値の組み合わせに基づいて、新たなカラーチャンネル表であるカラーコレクション色補正ＬＵＴ１７ｂが生成される（Ｓ０２）。
【０１６７】
次に、第３の設定手段により、ドットゲイン補正を行う設定が成されていた場合には、前述したドットゲイン補正の演算処理が行われる（Ｓ０３）。さらに、ドットゲイン補正の演算処理が終了し、第５の設定手段により、ＩＣＣプロファイルによる色補正を行う設定が成されていた場合には、前述したＩＣＣプロファイルによる色補正の演算処理を行うこととなる。さらに、ＩＣＣプロファイルによる色補正の演算処理が終了し、第６の設定手段により、ＩＣＣデバイスリンクプロファイルによる色補正を行う設定が成されていた場合には、前述したＩＣＣデバイスリンクプロファイルによる色補正の演算処理を行うこととなる。そして、ＩＣＣデバイスリンクプロファイルによる色補正の演算処理が終了した場合には、これら補正による演算結果、即ち、更新後のカラーコレクション色補正ＬＵＴ１７ｂが目標値として出力されることとなる（Ｓ０４）。
【０１６８】
そして、更新後のカラーコレクション色補正ＬＵＴ１７ｂは、出力装置２０へと転送され、出力装置２０においてカラーチャートを出力するための処理が行われる（Ｓ０５）。
【０１６９】
これを受けて、出力装置２０では、確認用のカラーチャートを出力する（Ｓ０６）。そして、再度、濃度計を用いてカラーチャートの各色のベタ濃度が測定される（Ｓ０７）。この際、画像処理装置１０においては、濃度計とＲＳ２３２Ｃを介して繋がったＰＣ、若しくは、第１の設定手段１５ａによって各色のベタ濃度値が入力される。すると、制御部１９は、測定されたカラーチャートの各色のベタ濃度と、Ｓ０４において設定された、その色に対応する色補正後のカラーコレクション色補正ＬＵＴ１７ｂの目標値との間に誤差が生じているか否かを判断する（Ｓ０８）。ここで、誤差が生じ、しかも、その誤差が調整不可能な範囲であった場合には（Ｓ０８、調整不可ＮＧ）、制御部１９は、これを出力装置２０の異常と判断して、メンテナンスコールを行い、メンテナンスマンによる現像液の交換／補充が行われ、さらに、この際、交換／補充に伴う設定が行われる（Ｓ０９）。また、ここで、誤差が生じ、しかも、その誤差が調整可能な範囲であった場合には（Ｓ０８、調整可ＮＧ）、再度、濃度キャリブレーション補正を行う（Ｓ１０）。具体的には、感度指数調整用のカラーチャートを出力して（Ｓ１１）、各色のベタ濃度が測定される（Ｓ１２）。そして、その濃度値に基づいて、前述した補正用の感度指数が生成され（Ｓ１３）、感度指数が更新される（Ｓ１４）。そして、再度、確認用のカラーチャートを出力する（Ｓ０６）。以降、Ｓ０７へと続く。
【０１７０】
また、Ｓ０８において、各色のベタ濃度値が目標値と一致した場合には、ドットゲイン補正へと移行する（Ｓ１６）。前述したように、ドットゲイン補正とは、印刷される網点の面積比の変動を補正するものであって、具体的には、図６に示したカラーチャートの、例えばＫ、３Ｃの各網点（例えば網２０％、４０％、６０％、８０％のもの）の濃度を濃度計によって測定することで、その網点の面積比を算出する。ここで、その網点の面積比が許容範囲内にあった場合、即ち、ドットゲインの判定がＯＫであった場合には、濃度キャリブレーション補正を行うことなく、Ｓ０５へ移行する。また、ここで、その網点の面積比が許容範囲外であった場合、即ち、ドットゲインの判定がＮＧであった場合には、ＬＵＴ調整用にカラーチャートを出力して（Ｓ１７）、さらに、そのＬＵＴ調整用のカラーチャートの各々の網点濃度を測定して（Ｓ１８）、その濃度値に基づいてカラーコレクション色補正ＬＵＴの更新を行う（Ｓ１９）。
【０１７１】
ところで、Ｓ０５において、感光材料の交換が行われ、そのロットが切替った場合には（Ｓ２０）、Ｓ１０へと移行して、再度、濃度キャリブレーション補正が行われることとなる（Ｓ１０）。以降、Ｓ１１へと続く。
【０１７２】
以上に説明したように、本実施形態におけるカラープルーフ作成システムにおいては、ベタ色（網１００％）を表現する場合であっても、カラーチャートを出力して、その濃度を測定することにより、測定テーブル１７ａや、カラーコレクション色補正ＬＵＴ１７ｂにおける光量値を補正して、その校正を行うことができるので、当該カラープルーフ作成システムの色再現範囲から最も近い色でカラープルーフを出力することが可能となり、最終印刷物であるターゲットとの色合わせ精度を飛躍的に向上させることができる。
【０１７３】
また、本実施形態におけるカラープルーフ作成システムにおいては、ＣＭＳ（カラーマネジメントシステム）補正、ドットゲイン補正、濃度キャリブレーション補正といった、各種ＬＵＴ等を用いた色補正を加えて行うことができ、感光材料のロット、現像液の状態、出力環境温度等の出力条件の違いに応じたベタ色の濃度調整を行うことができるので、ターゲットにより忠実なカラープルーフを出力することができる。従って、最終印刷物のベタ濃度に相違が生じることを防止して、校正作業での間違いを防ぐことができる。
【０１７４】
【発明の効果】
以上に説明したように、本発明に係るカラープルーフ作成システム、及び、カラープルーフ作成方法によれば、ベタ色（網１００％）を表現する場合であっても、カラーチャートを出力して、その濃度を測定することにより、測定テーブルや、カラーコレクション色補正ＬＵＴにおける光量値を補正して、その濃度調整を行うことができるので、当該カラープルーフ作成システムの色再現範囲から最も近い色でカラープルーフを出力することが可能となり、最終印刷物であるターゲットとの色合わせ精度を飛躍的に向上させることができる。
【０１７５】
また、本発明に係るカラープルーフ作成システム、及び、カラープルーフ作成方法によれば、ＣＭＳ（カラーマネジメントシステム）補正、ドットゲイン補正、濃度キャリブレーション補正といった、各種ＬＵＴ等を用いた色補正を加えて行うことができ、感光材料のロット、現像液の状態、出力環境温度等の出力条件の違いに応じたベタ色の濃度調整を行うことができるので、最終印刷物であるターゲットとの色合わせ精度を飛躍的に向上させることができる。従って、最終印刷物のベタ濃度に相違が生じることを防止して、校正作業での間違いを防ぐことができる。
【図面の簡単な説明】
【図１】本発明に係るカラープルーフ作成システムの一実施形態における全体構成を示す説明図である。
【図２】図１に示すカラープルーフ作成システムにおける画像処理装置及び出力装置の構成を示した機能ブロック図である。
【図３】図２に示す画像処理装置の詳細な構成を示した機能ブロック図である。
【図４】基準となる測定テーブル（基準濃度テーブル）と感度指数テーブルとを用いて、カラー印刷物に対応する測定テーブル（補正濃度テーブル）が作成される過程を示す説明図である。
【図５】測定テーブルの構造の一例を示す説明図である。
【図６】カラーチャートの構成の一例を示す説明図である。
【図７】カラーチャンネル表の構造の一例を示す説明図である。
【図８】図１に示すカラープルーフ作成システムにおけるベタ濃度の調整処理手順の一例を示すフローチャートである。
【図９】測定テーブルにおける各基本色成分の濃度値と光量値の関係を曲線に表した濃度‐光量カーブを示す図である。
【図１０】図９に示す濃度‐光量カーブを補正するためのシフト量を算出する過程を説明するための説明図である。
【図１１】図９に示す濃度‐光量カーブを補正した後の濃度‐光量カーブを示す図である。
【符号の説明】
１０  画像処理装置
１３  調整演算処理部
１３ａ  光量値演算処理手段
１３ｂ  ドットゲイン補正演算処理手段
１３ｃ  キャリブレーション補正演算処理手段
１３ｄ  ＩＣＣプロファイル色補正演算処理手段
１３ｅ  ＩＣＣデバイスリンクプロファイル色補正演算処理手段
１３ｆ  演算手順制御手段
１５  表示部
１５ａ  第１の設定手段
１５ｂ  第２の設定手段
１５ｃ  第３の設定手段
１５ｄ  第４の設定手段
１５ｅ  第５の設定手段
１５ｆ  第６の設定手段
１５ｇ  第７の設定手段
１７  記憶部
１７ａ  測定テーブル（濃度‐光量相関テーブル）
１７ｂ  カラーチャンネル色補正ＬＵＴ
１７ｃ  ドットゲイン補正ＬＵＴ
１７ｄ  キャリブレーション補正ＬＵＴ
１７ｅ  ＩＣＣプロファイル色補正情報格納手段
１７ｆ  ＩＣＣデバイスリンクプロファイル色補正情報格納手段
１９  制御部
【図１】
2004205844.tif 000003
【図２】
2004205844.tif 000004
【図３】
2004205844.tif 000005
【図４】
2004205844.tif 000006
【図５】
2004205844.tif 000007
【図６】
2004205844.tif 000008
【図７】
2004205844.tif 000009
【図８】
2004205844.tif 000010
【図９】
2004205844.tif 000011
【図１０】
2004205844.tif 000012
【図１１】
2004205844.tif 000013